(57)【要約】【課題】ベイ１４に装着された電子機器の操作をコントロールユニット３１で御する。【解決手段】メインコントローラ１７２は、ＲＦ送受信部１７１から供給される、ユーザの操作入力を示す信号に従って、セレクタコントローラ１７３を制御したり、ベイ１４に収納されている電子機器を制御するための制御信号を生成し、コントロールバス１７５を介して供給したりする。メインコントローラ１７２は、ユーザから受けることができる操作の内容を示す操作軸テーブル、ベイ１４に収納されている電子機器を制御する命令コードを記載した命令コードテーブル、ユーザが操作軸を割り当てる場合に用いられる表示テキストコードテーブルを内部に記憶し、ベイ１４に新たな電子機器が装着された場合、コントロールバス１７５を介して、操作軸データの入力を受け、操作軸テーブルを参照し、操作軸の割り当てを行う。本発明は、テレビジョン受像機に適用できる。【選択図】　　　図２０
2004040715.tif 000002
【特許請求の範囲】
【請求項１】
複数の他の情報処理装置と接続され、ユーザの操作入力を受ける入力部からの入力に基づいて、前記他の情報処理装置の動作を制御する情報処理装置において、
前記入力部により入力される前記ユーザからの操作のうち、対応可能な操作に関する第１の情報を記憶する記憶手段と、
前記他の情報処理装置が新たに接続されたことを検出し、新たに接続された前記他の情報処理装置が受けることができる操作内容を示す第２の情報を取得する取得手段と、
前記取得手段により取得された前記第２の情報を、前記記憶手段により記憶されている前記第１の情報として登録する登録手段と
を備えることを特徴とする情報処理装置。
【請求項２】
前記記憶手段は、前記入力部により入力された前記ユーザの操作に対応して、前記他の情報処理装置に対して出力される命令コード情報を更に記憶し、
前記登録手段は、前記記憶手段により記憶されている前記命令コード情報に基づいて、前記取得手段により取得された前記第２の情報に対応する前記命令コードを検索し、前記第１の情報として登録する
ことを特徴とする請求項１に記載の情報処理装置。
【請求項３】
前記記憶手段により記憶されている前記第１の情報は、前記登録手段により登録されることが想定される前記第２の情報に対応する第１の項目と、ユーザにより新たに登録可能な第２の項目とを有し、
前記取得手段により取得された前記第２の情報が、前記第１の項目に対応する情報である場合、前記登録手段は、前記第２の情報を、前記第１の情報の前記第１の項目に登録し、
前記取得手段により取得された前記第２の情報が、前記第２の項目に対応する情報である場合、前記登録手段は、前記入力部により入力される前記ユーザの操作入力に基づいて、前記第２の情報を、前記第１の情報の前記第２の項目に登録する
ことを特徴とする請求項１に記載の情報処理装置。
【請求項４】
前記登録手段は、前記記憶手段により記憶されている前記第１の情報として前記取得手段により取得された前記第２の情報を登録することが可能か否かを判断する判断手段と、
各種情報を表示する表示手段と
を更に備え、
前記表示手段は、前記判断手段により、前記登録手段が前記第１の情報として前記第２の情報を登録することができないと判断された場合、前記ユーザに、前記情報処理装置の交換を促すメッセージを表示する
ことを特徴とする請求項１に記載の情報処理装置。
【請求項５】
前記入力部が有する操作部と、前記記憶手段により記憶されている前記第１の情報の項目とは、対応関係を有する
ことを特徴とする請求項１に記載の情報処理装置。
【請求項６】
複数の他の情報処理装置と接続される情報処理装置であって、
ユーザの操作入力を受ける入力部により入力される前記ユーザからの操作のうち、対応可能な操作に関する第１の情報を記憶する記憶部を備える情報処理装置の情報処理方法において、
前記他の情報処理装置が新たに接続されたことを検出し、新たに接続された前記他の情報処理装置が受けることができる操作内容を示す第２の情報の取得を制御する取得制御ステップと、
前記取得制御ステップの処理により取得が制御された前記第２の情報を、前記記憶部に記憶されている前記第１の情報として登録する登録ステップと
を含むことを特徴とする情報処理方法。
【請求項７】
複数の他の情報処理装置と接続される情報処理装置であって、
ユーザの操作入力を受ける入力部により入力される前記ユーザからの操作のうち、対応可能な操作に関する第１の情報を記憶する記憶部を備える情報処理装置用のプログラムであって、
前記他の情報処理装置が新たに接続されたことを検出し、新たに接続された前記他の情報処理装置が受けることができる操作内容を示す第２の情報の取得を制御する取得制御ステップと、
前記取得制御ステップの処理により取得が制御された前記第２の情報を、前記記憶部に記憶されている前記第１の情報として登録する登録ステップと
を含むことを特徴とするコンピュータが読み取り可能なプログラムが記録されている記録媒体。
【請求項８】
複数の他の情報処理装置と接続される情報処理装置であって、
ユーザの操作入力を受ける入力部により入力される前記ユーザからの操作のうち、対応可能な操作に関する第１の情報を記憶する記憶部を備える情報処理装置を制御するコンピュータが実行可能なプログラムであって、
前記他の情報処理装置が新たに接続されたことを検出し、新たに接続された前記他の情報処理装置が受けることができる操作内容を示す第２の情報の取得を制御する取得制御ステップと、
前記取得制御ステップの処理により取得が制御された前記第２の情報を、前記記憶部に記憶されている前記第１の情報として登録する登録ステップと
を含むことを特徴とするプログラム。
【請求項９】
ユーザからの操作入力に従って、所定の情報を処理する情報処理装置において、
信号の入力または出力を行う１以上の第１の信号端子が外部に露出している第１の情報処理ユニットと、
信号の入力または出力を行う１以上の第２の信号端子が外部に露出し、前記ユーザからの操作入力を受ける入力部からの入力に基づいて、前記第１の情報処理ユニットを制御する第２の情報処理ユニットと、
前記第１の情報処理ユニットおよび前記第２の情報処理ユニットを収納する収納ラックと
を備え、
前記収納ラックは、
前記第１の情報処理ユニットを収納する凹形上に形成された１以上の第１の収納部と、
前記第１の情報処理ユニットの前記第１の信号端子と接続する信号端子が設けられた前記第１の収納部内の第１の接続部と、
第２の情報処理ユニットを収納する凹形上に形成された１以上の第２の収納部と、
前記前記第２の情報処理ユニットの前記第２の信号端子と接続する信号端子が設けられた前記第２の収納部内の第２の接続部と
を備え、
前記第１の情報処理ユニットおよび前記第２の情報処理ユニットが自在に着脱可能なように構成され、
前記第１の情報処理ユニットは、
自分自身が受けることができる操作内容を示す第１の情報を記憶する第１の記憶手段と、
前記所定の情報を取得する第１の取得手段と、
前記第２の情報処理ユニットから、前記ユーザの操作に対応する第２の情報を取得する第２の取得手段と、
前記第２の取得手段により取得された前記第２の情報に基づいて、前記第１の取得手段により取得された前記所定の情報を処理する処理手段と
を備え、
前記第２の情報処理ユニットは、
前記ユーザが、前記入力部を操作することで入力される前記ユーザからの操作のうち、対応可能な操作に関する第３の情報を記憶する第２の記憶手段と、
前記第１の情報処理ユニットが新たに接続されたことを検出し、新たに接続された前記第１の情報処理ユニットから、前記第１の情報を取得する第３の取
得手段と、
前記第３の取得手段により取得された前記第１の情報を、前記第２の記憶手段により記憶されている前記第３の情報として登録する登録手段と、
前記入力部により入力された前記ユーザの操作に対応する前記第２の情報を、
前記第１の情報処理ユニットに出力する出力手段と
を備えることを特徴とする情報処理装置。
【請求項１０】
前記第２の記憶手段は、前記入力部により入力された前記ユーザの操作に対応して、前記出力手段により前記他の情報処理装置に対して出力される前記第２の情報に対応する命令コード情報を更に記憶し、
前記登録手段は、前記第２の記憶手段により記憶されている前記命令コード情報に基づいて、前記第３の取得手段により取得された前記第１の情報に対応する前記命令コードを検索し、前記第３の情報として登録する
ことを特徴とする請求項９に記載の情報処理装置。
【請求項１１】
前記第２の記憶手段により記憶されている前記第３の情報は、前記登録手段により登録されることが想定される前記第１の情報に対応する第１の項目と、ユーザにより新たに登録可能な第２の項目とを有し、
前記第３の取得手段により取得された前記第１の情報が、前記第１の項目に対応する情報である場合、前記登録手段は、前記第１の情報を、前記第３の情報の前記第１の項目に登録し、
前記第３の取得手段により取得された前記第１の情報が、前記第２の項目に対応する情報である場合、前記登録手段は、前記入力部により入力される前記ユーザの操作入力に基づいて、前記第１の情報を、前記第３の情報の前記第２の項目に登録する
ことを特徴とする請求項９に記載の情報処理装置。
【請求項１２】
前記登録手段は、前記第２の記憶手段により記憶された前記第３の情報に前記第３の取得手段により取得された前記第１の情報を登録することが可能か否かを判断する判断手段と、
各種情報を表示する表示手段と
を更に備え、
前記表示手段は、前記判断手段により、前記登録手段が前記第３の情報に前記第１の情報を登録することができないと判断された場合、前記ユーザに、前記第２の収納部に収納されている前記第２の情報処理ユニットの交換を促すメッセージを表示する
ことを特徴とする請求項９に記載の情報処理装置。
【請求項１３】
前記入力部が有する操作部と、前記第２の記憶手段により記憶されている前記第３の情報の項目とは、対応関係を有する
ことを特徴とする請求項９に記載の情報処理装置。
【請求項１４】
前記第１の情報処理ユニットは、単独で動作可能な情報処理装置である
ことを特徴とする請求項９に記載の情報処理装置。
【発明の詳細な説明】
【０００１】
【発明の属する技術分野】
本発明は、情報処理装置および情報処理方法、記録媒体、並びにプログラムに関し、特に、情報を処理する機能を有するユニットと、それらのユニットをコントロールする機能を有するユニットとを、それぞれ交換可能なように構成した、情報処理装置および情報処理方法、記録媒体、並びにプログラムに関する。
【０００２】
【従来の技術】
例えば、ディジタルＶＴＲ（Ｖｉｄｅｏ　Ｔａｐｅ　Ｒｅｃｏｒｄｅｒ）や、ＤＶＤ（Ｄｉｇｉｔａｌ　Ｖｅｒｓａｔｉｌｅ　Ｄｉｓｃ）プレーヤ、テレビジョン受像機などのＡＶ機器は、それ自体単独で動作するが、ディジタルＶＴＲやＤＶＤプレーヤで再生した画像や音声を視聴するには、ディジタルＶＴＲやＤＶＤプレーヤを、テレビジョン受像機などの、表示の機能を有する機器に接続しなければならない。
【０００３】
すなわち、ディジタルＶＴＲ、ＤＶＤプレーヤ、テレビジョン受像機には、一般に、その背面に、画像や音声の入力または出力を行う端子が、外部に露出した状態で設けられており、ディジタルＶＴＲや、ＤＶＤプレーヤの出力端子と、テレビジョン受像機の入力端子とを、所定のケーブルで接続することにより、ディジタルＶＴＲや、ＤＶＤプレーヤで再生された画像や音声が、テレビジョン受像機から出力される。
【０００４】
【発明が解決しようとする課題】
しかしながら、例えば、２台のＡＶ機器同士を接続する場合であっても、画像信号、並びに、Ｌ（Ｌｅｆｔ）チャンネルおよびＲ（Ｒｉｇｈｔ）チャンネルの音声信号のために、最低３本のケーブルが必要になることから、ケーブルによってＡＶ機器どうしを接続するのは面倒である。更に、接続するＡＶ機器の数が増えれば、その接続に要するケーブルも多くなることから、ケーブルの処理（例えば、引き回し等）も容易ではなくなる。
【０００５】
また、これらのＡＶ機器は、例えば、再生の開始および終了、あるいは、音声ボリュームのアップダウンなど、いくつかの操作が共通のものとなる。しかしながら、ユーザは、それぞれのＡＶ機器が有する操作パネル、もしくはリモートコマンダなどを用いて、それぞれ個別に操作を行わなければならない。
【０００６】
また、従来、ディジタルＶＴＲ、ＤＶＤプレーヤ、テレビジョン受像機などのＡＶ機器は、セット単体で機能が限定されていた。そのため、ユーザは、セットの中の特定の機能のバージョンアップのために、セット全体を購入しなおさなければならなかった。
【０００７】
本発明はこのような状況に鑑みてなされたものであり、電子機器を容易に接続し、バージョンアップを容易にするとともに、その操作性を向上することができるようにするものである。
【０００８】
【課題を解決するための手段】
本発明の第１の情報処理装置は、入力部により入力されるユーザからの操作のうち、対応可能な操作に関する第１の情報を記憶する記憶手段と、他の情報処理装置が新たに接続されたことを検出し、新たに接続された他の情報処理装置が受けることができる操作内容を示す第２の情報を取得する取得手段と、取得手段により取得された第２の情報を、記憶手段により記憶されている第１の情報として登録する登録手段とを備えることを特徴とする。
【０００９】
記憶手段には、入力部により入力されたユーザの操作に対応して、他の情報処理装置に対して出力される命令コード情報を更に記憶させるようにすることができ、登録手段には、記憶手段により記憶されている命令コード情報に基づいて、取得手段により取得された第２の情報に対応する命令コードを検索させるようにすることができ、第１の情報として登録させるようにすることができる。
【００１０】
記憶手段により記憶されている第１の情報は、登録手段により登録されることが想定される第２の情報に対応する第１の項目と、ユーザにより新たに登録可能な第２の項目とを有するものとすることができ、取得手段により取得された第２の情報が、第１の項目に対応する情報である場合、登録手段には、第２の情報を、第１の情報の第１の項目に登録させるようにすることができ、取得手段により取得された第２の情報が、第２の項目に対応する情報である場合、登録手段には、入力部により入力されるユーザの操作入力に基づいて、第２の情報を、第１の情報の第２の項目に登録させるようにすることができる。
【００１１】
登録手段は、記憶手段により記憶されている第１の情報として取得手段により取得された第２の情報を登録することが可能か否かを判断する判断手段と、各種情報を表示する表示手段とを更に備えさせるようにすることができ、表示手段には、判断手段により、登録手段が第１の情報として第２の情報を登録することができないと判断された場合、ユーザに、情報処理装置の交換を促すメッセージを表示させるようにすることができる。
【００１２】
入力部が有する操作部と、記憶手段により記憶されている第１の情報の項目とは、対応関係を有するものとすることができる。
【００１３】
本発明の情報処理方法は、他の情報処理装置が新たに接続されたことを検出し、新たに接続された他の情報処理装置が受けることができる操作内容を示す第２の情報の取得を制御する取得制御ステップと、取得制御ステップの処理により取得が制御された第２の情報を、記憶部に記憶されている第１の情報として登録する登録ステップとを含むことを特徴とする。
【００１４】
本発明の記録媒体に記録されているプログラムは、他の情報処理装置が新たに接続されたことを検出し、新たに接続された他の情報処理装置が受けることができる操作内容を示す第２の情報の取得を制御する取得制御ステップと、取得制御ステップの処理により取得が制御された第２の情報を、記憶部に記憶されている第１の情報として登録する登録ステップとを含むことを特徴とする。
【００１５】
本発明のプログラムは、他の情報処理装置が新たに接続されたことを検出し、新たに接続された他の情報処理装置が受けることができる操作内容を示す第２の情報の取得を制御する取得制御ステップと、取得制御ステップの処理により取得が制御された第２の情報を、記憶部に記憶されている第１の情報として登録する登録ステップとを含むことを特徴とする。
【００１６】
本発明の第２の情報処理装置は、信号の入力または出力を行う１以上の第１の信号端子が外部に露出している第１の情報処理ユニットと、信号の入力または出力を行う１以上の第２の信号端子が外部に露出し、ユーザからの操作入力を受ける入力部からの入力に基づいて、第１の情報処理ユニットを制御する第２の情報処理ユニットと、第１の情報処理ユニットおよび第２の情報処理ユニットを収納する収納ラックとを備え、収納ラックは、第１の情報処理ユニットを収納する凹形上に形成された１以上の第１の収納部と、第１の情報処理ユニットの第１の信号端子と接続する信号端子が設けられた第１の収納部内の第１の接続部と、第２の情報処理ユニットを収納する凹形上に形成された１以上の第２の収納部と、第２の情報処理ユニットの第２の信号端子と接続する信号端子が設けられた第２の収納部内の第２の接続部とを備え、第１の情報処理ユニットおよび第２の情報処理ユニットが自在に着脱可能なように構成され、第１の情報処理ユニットは、自分自身が受けることができる操作内容を示す第１の情報を記憶する第１の記憶手段と、所定の情報を取得する第１の取得手段と、第２の情報処理ユニットから、ユーザの操作に対応する第２の情報を取得する第２の取得手段と、第２の取得手段により取得された第２の情報に基づいて、第１の取得手段により取得された所定の情報を処理する処理手段とを備え、第２の情報処理ユニットは、ユーザが、入力部を操作することで入力されるユーザからの操作のうち、対応可能な操作に関する第３の情報を記憶する第２の記憶手段と、第１の情報処理ユニットが新たに接続されたことを検出し、第１の情報処理ユニットから、第１の情報を取得する第３の取得手段と、第３の取得手段により取得された第１の情報を、第２の記憶手段により記憶されている第３の情報として登録する登録手段と、入力部により入力されたユーザの操作に対応する第２の情報を、第１の情報処理ユニットに出力する出力手段とを備えることを特徴とする。
【００１７】
第２の記憶手段には、入力部により入力されたユーザの操作に対応して、出力手段により他の情報処理装置に対して出力される第２の情報に対応する命令コード情報を更に記憶させるようにすることができ、登録手段には、第２の記憶手段により記憶されている命令コード情報に基づいて、第３の取得手段により取得された第１の情報に対応する命令コードを検索し、第３の情報として登録させるようにすることができる。
【００１８】
第２の記憶手段により記憶されている第３の情報は、登録手段により登録されることが想定される第１の情報に対応する第１の項目と、ユーザにより新たに登録可能な第２の項目とを有するものとすることができ、第３の取得手段により取得された第１の情報が、第１の項目に対応する情報である場合、登録手段には、第１の情報を、第３の情報の第１の項目に登録させるようにすることができ、第３の取得手段により取得された第１の情報が、第２の項目に対応する情報である場合、登録手段には、入力部により入力されるユーザの操作入力に基づいて、第１の情報を、第３の情報の第２の項目に登録させるようにすることができる。
【００１９】
登録手段は、第２の記憶手段により記憶された第３の情報に第３の取得手段により取得された第１の情報を登録することが可能か否かを判断する判断手段と、各種情報を表示する表示手段とを更に備えさせるようにすることができ、表示手段には、判断手段により、登録手段が第３の情報に第１の情報を登録することができないと判断された場合、ユーザに、第２の収納部に収納されている第２の情報処理ユニットの交換を促すメッセージを表示させるようにすることができる。
【００２０】
入力部が有する操作部と、第２の記憶手段により記憶されている第３の情報の項目とは、対応関係を有するものとすることができる。
【００２１】
第１の情報処理ユニットは、単独で動作可能な情報処理装置であるものとすることができる。
【００２２】
本発明の第１の情報処理装置および情報処理方法、並びにプログラムにおいては、入力部に入力されるユーザからの操作のうち、対応可能な操作に関する第１の情報が記憶され、他の情報処理装置が新たに接続されたことが検出されて、新たに接続された他の情報処理装置が受けることができる操作内容を示す第２の情報が取得され、第２の情報が、第１の情報として登録される。
【００２３】
本発明の第２の情報処理装置においては、信号の入力または出力を行う１以上の第１の信号端子が外部に露出している第１の情報処理ユニットと、信号の入力または出力を行う１以上の第２の信号端子が外部に露出し、ユーザからの操作入力を受ける入力部からの入力に基づいて、第１の情報処理ユニットを制御する第２の情報処理ユニットと、第１の情報処理ユニットおよび第２の情報処理ユニットを収納する収納ラックとが備えられ、収納ラックでは、凹形上に形成された１以上の第１の収納部に第１の情報処理ユニットが収納され、第１の情報処理ユニットの第１の信号端子と第１の収納部内の第１の接続部とが接続され、凹形上に形成された１以上の第２の収納部に第２の情報処理ユニットが収納され、第２の情報処理ユニットの第２の信号端子と第２の収納部内の第２の接続部とが接続され、第１の情報処理ユニットおよび第２の情報処理ユニットが自在に着脱可能なように構成され、第１の情報処理ユニットでは、自分自身が受けることができる操作内容を示す第１の情報が記憶され、所定の情報が取得され、第２の情報処理ユニットから、ユーザの操作に対応する第２の情報が取得され、第２の情報に基づいて、所定の情報が処理され、第２の情報処理ユニットでは、ユーザが入力部を操作することで入力されるユーザからの操作のうち、対応可能な操作に関する第３の情報が記憶され、第１の情報処理ユニットが新たに接続されたことが検出され、新たに接続された第１の情報処理ユニットから、第１の情報が取得され、第１の情報が第３の情報として登録され、入力されたユーザの操作に対応する第２の情報が、第１の情報処理ユニットに出力される。
【００２４】
【発明の実施の形態】
以下、図を参照して、本発明の実施の形態について説明する。
【００２５】
図１は、本発明を適用したベイ構造型テレビジョン受像機１の一実施の形態の構成例を示す斜視図である。
【００２６】
装置の筐体ともなっているテレビジョンラック１１には、その正面上部の中央に、ＣＲＴ（Ｃａｔｈｏｄｅ　Ｒａｙ　Ｔｕｂｅ）１２が配置されており、その左右に、Ｌ（Ｌｅｆｔ）チャンネルのスピーカ１３−１と、Ｒ（Ｒｉｇｈｔ）チャンネル用のスピーカ１３−２が配置されている。以下、スピーカ１３−１およびスピーカ１３−２を個々に区別する必要がない場合、単にスピーカ１３と総称する。
【００２７】
更に、テレビジョンラック１１の正面下部には、６つのベイ（ｂａｙ）１４Ａ，１４Ｂ，１４Ｃ，１４Ｄ，１４Ｅ，および１４Ｆが設けられている。以下、ベイ１４Ａ乃至１４Ｆを個々に区別する必要がない場合、単にベイ１４と総称する。
【００２８】
ベイ１４には、単独で作動し、かつ信号の入力または出力を行う１以上の信号端子が外部に露出している電子機器としての、例えば、ディジタルＶＴＲやＤＶＤプレーヤ、ベイ構造型テレビジョン受像機１における画像処理を行うテレビジョン信号処理ユニット、または、テレビジョン信号などを受信するためのチューナなどを収納することができる。すなわち、ベイ１４は、これらの電子機器を収納することができるように、凹形状に形成されており、その内部正面には、ベイ１４に収納される電子機器の信号端子と接続する接続端子が配置された、後述するベイ内接続パネル１５（図３）が設けられている。
【００２９】
また、テレビジョンラック１１の上面の、右手前側には、やはり、凹形状に形成されたベイ１４Ｇが設けられている。但し、ベイ１４Ａ乃至１４Ｆは、ディジタルＶＴＲ等の比較的大型の電子機器を収納することができるように、大きな凹形状となっているのに対して、ベイ１４Ｇは、例えば、携帯電話機やＰＤＡ（Ｐｅｒｓｏｎａｌ　Ｄｉｇｉｔａｌ　Ａｓｓｉｓｔａｎｔ）等の比較的小型の電子機器を収納することができるように、小さな凹形状となっている。なお、ベイ１４Ｇの内部にも、そこに収容される電子機器の信号端子と接続する接続端子が配置されたベイ内接続パネルが設けられている。但し、ベイ１４Ｇに設けられているベイ内接続パネルは、携帯電話機等の小型の電子機器の信号端子と接続するものであるから、ディジタルＶＴＲ等の大型の電子機器の信号端子と接続される、ベイ１４Ａ乃至１４Ｆに設けられているベイ内接続パネル１５とは異なったものとなっている。
【００３０】
また、テレビジョンラック１１の正面中央部には、コントロールベイ１６が設けられている。コントロールベイ１６には、ベイ１４に収納されている機器に対して、共通のコントロールを行うための、後述するコントロールユニット３１（図２）を収納することができる。すなわち、ベイ１４は、コントロールユニット３１を収納することができるように、凹形状に形成されており、その内部正面には、コントロールベイ１６に収納されるコントロールユニット３１の信号端子と接続する接続端子が配置された、コントロールベイ内接続パネル１７が設けられている。
【００３１】
図２は、ベイ１４に電子機器が収納され、コントロールベイ１６にコントロールユニットが収納された状態の、図１のベイ構造型テレビジョン受像機１の斜視図である。
【００３２】
図２においては、ベイ１４Ａと１４Ｄに、電子機器２１と電子機器２２が、それぞれ直接収納されており、ベイ１４Ｂに、ベイアダプタボックス２４に収納された状態の電子機器２３が収納されている。
【００３３】
すなわち、電子機器２１と電子機器２２は、ベイ構造型テレビジョン受像機１に対応した電子機器（例えば、ベイ構造型テレビジョン受像機１と同一の製造メーカによる電子機器）であり、ベイアダプタボックス２４を使用しなくても、直接、ベイ１４に収納することができるようになっている。
【００３４】
また、例えば、電子機器２１、もしくは電子機器２２を、ベイ構造型テレビジョン受像機１における画像処理を行うテレビジョン信号処理ユニット１８２（図２０）であるものとしたり、ベイ構造型テレビジョン受像機１における放送信号を受信するチューナ１８１（図２０）であるものとしたりして、それぞれ取り外して交換することが可能なようにすることにより、ベイ構造型テレビジョン受像機１のバージョンアップなどを容易に実行することができる。
【００３５】
一方、電子機器２３は、ベイ構造型テレビジョン受像機１に非対応の電子機器（例えば、ベイ構造型テレビジョン受像機１と異なる製造メーカによる電子機器）であり、ベイアダプタボックス２４を使用することにより、ベイ１４に収納することができるようになっている。
【００３６】
そして、コントロールベイ１６には、コントロールユニット３１が直接収納されている。
【００３７】
なお、ベイ１４（ベイ１４Ｇについても同様）、および、コントロールベイ１６の開口部分には、例えば、ＶＴＲのテープ挿入口に設けられるのと同様の蓋を設けるようにすることができ、この場合、電子機器が収納されていないベイ１４Ｃ、ベイ１４Ｅ、および、ベイ１４Ｆの内部に、埃等が入るのを防止することができる。
【００３８】
次に、図３は、ベイ１４の内部正面に設けられているベイ内接続パネル１５の構成例を示す平面図である。
【００３９】
ベイ内接続パネル１５には、ＲＧＢ（Ｒｅｄ，　Ｇｒｅｅｎ，　Ｂｌｕｅ）用出力端子４１、ＲＧＢ用入力端子４２、オーディオ出力端子４３、オーディオ入力端子４４、出力用Ｓ（Ｓｅｐａｒａｔｅ（Ｓｐｅｃｉａｌ／Ｓｕｐｅｒ））端子４５、入力用Ｓ端子４６、ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）１３９４端子４７、ＵＳＢ（Ｕｎｉｖｅｒｓａｌ　Ｓｅｒｉａｌ　Ｂｕｓ）端子４８、および電源端子４９等の、電子機器間で信号のやりとりをするための端子が設けられている。
【００４０】
ＲＧＢ用出力端子４１は、ベイ構造型テレビジョン受像機１で得られる画像信号（画像データ）であるＲＧＢ信号を、ベイ１４に収納される電子機器に出力するための端子で、ＲＧＢ用入力端子４２は、ベイ１４に収納される電子機器が出力するＲＧＢ信号を、ベイ構造型テレビジョン受像機１に入力するための端子である。オーディオ出力端子４３は、ベイ構造型テレビジョン受像機１で得られるＬおよびＲチャンネルの音声信号を、ベイ１４に収納される電子機器に出力するための端子で、オーディオ入力端子４４は、ベイ１４に収納される電子機器が出力するＬおよびＲチャンネルの音声信号を、ベイ構造型テレビジョン受像機１に入力するための端子である。
【００４１】
出力用Ｓ端子４５は、ベイ構造型テレビジョン受像機１で得られる画像信号である輝度信号および色信号を、ベイ１４に収納される電子機器に出力するための端子で、入力用Ｓ端子４６は、ベイ１４に収納される電子機器が出力する輝度信号および色信号を、ベイ構造型テレビジョン受像機１に入力するための端子である。ＩＥＥＥ１３９４端子４７は、ベイ構造型テレビジョン受像機１と、ベイ１４に収納される電子機器との間で、ＩＥＥＥ１３９４の規格に準拠した通信を行うための端子で、ＵＳＢ端子４８は、ベイ構造型テレビジョン受像機１と、ベイ１４に収納される電子機器との間で、ＵＳＢの規格に準拠した通信を行うための端子である。電源端子４９は、ベイ１４に収納される電子機器に対して、電源を供給するための端子である。
【００４２】
図３の実施の形態では、ＲＧＢ用出力端子４１、ＲＧＢ用入力端子４２、オーディオ出力端子４３、オーディオ入力端子４４、出力用Ｓ端子４５、入力用Ｓ端子４６、ＩＥＥＥ１３９４端子４７、ＵＳＢ端子４８、および電源端子４９は、ベイ内接続パネル１５の固定の位置に配置されている。
【００４３】
図４は、ベイ構造型テレビジョン受像機１に対応した電子機器２１（電子機器２２も同様、以下省略）の構成例を示す、その背面方向から見た斜視図である。
【００４４】
電子機器２１の背面パネルには、ＲＧＢ用入力端子６１、ＲＧＢ用出力端子６２、オーディオ入力端子６３、オーディオ出力端子６４、入力用Ｓ端子６５、出力用Ｓ端子６６、ＩＥＥＥ１３９４端子６７、ＵＳＢ端子６８、および電源端子６９等が設けられている。
【００４５】
ベイ構造型テレビジョン受像機１のベイ１４は、電子機器２１を収納することができる大きさに構成されており、更に、そのベイ内接続パネル１５のＲＧＢ用出力端子４１乃至電源端子４９は、電子機器２１がベイ１４に収納されたときに、その電子機器２１のＲＧＢ用入力端子６１乃至電源端子６９とそれぞれ電気的に接続されるような位置に配置されている。
【００４６】
従って、ユーザは、ベイ構造型テレビジョン受像機１に対応した電子機器２１や電子機器２２については、電子機器２１を、ベイ１４に収納するだけで、ケーブルを用いなくても、電子機器２１とベイ構造型テレビジョン受像機１とを、電気的に接続することができる。
【００４７】
更に、電子機器２１と電子機器２２を、ベイ構造型テレビジョン受像機１のベイ１４に収納することにより、電子機器２１と電子機器２２も、ベイ構造型テレビジョン受像機１を介して電気的に接続される。従って、ユーザは、やはり、電子機器２１と電子機器２２を、ベイ１４に収納するだけで、ケーブルを用いなくても、電気的に接続することができる。
【００４８】
以上のように、ユーザは、電子機器を、ベイ１４に収納するだけで、電子機器どうしを、容易に接続することができる。
【００４９】
なお、ベイ１４に収納される電子機器が、例えば、再生専用の電子機器である場合、そのような電子機器については、基本的に、画像や音声等の入力端子を設ける必要はない。
【００５０】
一方、ベイ１４には、再生専用の電子機器だけが収納されるとは限らず、例えば、記録と再生の両方が可能な電子機器が収納される場合もあり、そのような電子機器については、画像や音声等の入力端子と出力端子の両方が設けられる。
【００５１】
従って、ベイ１４の内部に設けられるベイ内接続パネル１５（図３）には、ベイ１４に収納されうる電子機器全ての端子に対応する位置に、その端子と電気的に接続する端子を設けておくのが望ましい。なお、この場合、ベイ内接続パネル１５に設けられた端子については、ベイ１４に収納される電子機器によっては、いわば遊んでしまう状態となるものが生じうるが、特に問題はない。
【００５２】
次に、上述したように、電子機器２１や電子機器２２は、ベイ構造型テレビジョン受像機１に対応したものであり、ベイ内接続パネル１５のＲＧＢ用出力端子４１乃至電源端子４９は、電子機器２１や電子機器２２がベイ１４に収納されたときに、その電子機器２１や電子機器２２のＲＧＢ用入力端子６１乃至電源端子６９とそれぞれ電気的に接続されるような位置に配置されているから、電子機器２１や電子機器２２は、ベイ１４に収納するだけで、ベイ構造型テレビジョン受像機１と電気的に接続される。
【００５３】
しかしながら、電子機器２３は、ベイ構造型テレビジョン受像機１に非対応のものであるから、ベイ１４に直接収納しても、電子機器２３の端子と、ベイ内接続パネル１５の対応する端子とは、その配置位置が異なり、電気的に接続されるとは限らず、むしろ、多くは接続されない。
【００５４】
そこで、ベイ構造型テレビジョン受像機１に非対応の電子機器２３については、ベイアダプタボックス２４を用いることで、ベイ構造型テレビジョン受像機１と、容易に電気的に接続することができるようになっている。
【００５５】
図５は、ベイアダプタボックス２４の構成例を示す斜視図である。
【００５６】
ベイアダプタボックス２４には、その正面側から、電子機器２３を収納することができるように、凹形状のスロット８１が設けられている。電子機器２３は、ベイアダプタボックス２４に収納し、このベイアダプタボックス２４ごと、ベイ構造型テレビジョン受像機１のベイ１４に収納することで、ベイ構造型テレビジョン受像機１と電気的に接続されるようになっている。
【００５７】
ベイアダプタボックス２４の背面部分には、背面パネル部８２が設けられており、背面パネル部８２は、スロット８１側を正面とするアダプタ内接続パネル８２Ａと、ベイアダプタボックス２４の背面側を正面とするアダプタ背面パネル８２Ｂとで構成されている。すなわち、ベイアダプタボックス２４のスロット８１側を正面とすれば、アダプタ内接続パネル８２Ａは、正面側に、アダプタ背面パネル８２Ｂは、その背面側に、それぞれ設けられている。
【００５８】
図６は、アダプタ内接続パネル８２Ａの構成例を示す平面図である。
【００５９】
アダプタ内接続パネル８２Ａには、電子機器２３のように、ベイ構造型テレビジョン受像機１に非対応の電子機器（以下、適宜、非対応電子機器という）が、ベイアダプタボックス２４に収納されたときに、その非対応電子機器の背面パネルに設けられた信号端子と接続する位置に、対応する接続端子が設けられている。
【００６０】
ここで、非対応電子機器については、例えば、メーカ毎に、その信号端子の配置位置が異なる。そこで、アダプタ内接続パネル８２Ａにおいては、図６に示すように、メーカ毎に、そのメーカの非対応電子機器の背面パネルに設けられた信号端子に対応する固定の位置に、その信号端子と接続される端子が設けられている。なお、図６においては、Ａ社、Ｂ社、Ｃ社の非対応電子機器用のアダプタ内接続パネル１５を示してある。
【００６１】
図７は、アダプタ背面パネル８２Ｂの構成例を示す平面図である。
【００６２】
一方、アダプタ背面パネル８２Ｂには、図７に示すように、ベイ１４のベイ内接続パネル１５（図３）に設けられたＲＧＢ用出力端子４１乃至電源端子４９に対応する固定の位置に、ＲＧＢ用入力端子９１乃至電源端子９９がそれぞれ設けられている。従って、ベイアダプタボックス２４を、アダプタ背面パネル８２Ｂと、ベイ１４のベイ内接続パネル１５が対向するように、ベイ１４に収納すると、アダプタ背面パネル８２Ｂに設けられたＲＧＢ用入力端子９１乃至電源端子９９は、ベイ１４内のベイ内接続パネル１５に設けられたＲＧＢ用出力端子４１乃至電源端子４９と、それぞれ、電気的に接続される。
【００６３】
そして、アダプタ内接続パネル８２Ａに設けられた端子は、アダプタ背面パネル８２Ｂに設けられたＲＧＢ用入力端子９１乃至電源端子９９のうちの対応するものに接続されているので、非対応電子機器であっても、その非対応電子機器に対応するアダプタ内接続パネル８２Ａを有するベイアダプタボックス２４に収納し、更に、その非対応電子機器が収納されたベイアダプタボックス２４を、ベイ１４に収納することで、ベイ構造型テレビジョン受像機１（更には、ベイ構造型テレビジョン受像機１を介して、ベイ１４に収納された他の電子機器）に、電気的に接続されることになる。
【００６４】
以上から、非対応電子機器についても、ユーザは、容易に接続を行うことができる。
【００６５】
ところで、非対応電子機器については、上述のように、ベイアダプタボックス２４を介することで、ベイ構造型テレビジョン受像機１と容易に接続することができるが、この場合、ユーザは、非対応電子機器に対応するアダプタ内接続パネル８２Ａを有するベイアダプタボックス２４全体を非対応電子機器毎に用意しなければならない。
【００６６】
そこで、ベイアダプタボックス２４は、例えば、図８に示すように、その背面パネル部８２を、他の部分に対して着脱可能なように構成することができる。この場合、非対応電子機器のメーカ毎に、ベイアダプタボックス２４全体を用意する必要はなく、背面パネル部８２だけを交換すれば良い。更に、この場合、非対応電子機器は、その背面の端子に、背面パネル部８２のアダプタ内接続パネル８２Ａに設けられた端子をはめ込んだ（接続した）状態で、ベイ１４に収納することが可能である。すなわち、非対応電子機器とベイ構造型テレビジョン受像機１との接続は、非対応電子機器が収納されたベイアダプタボックス２４全体を、ベイ１４に収納することによって行う他、非対応電子機器がアダプタ内接続パネル８２Ａに接続された背面パネル部８２を、その非対応電子機器とともに、ベイ１４に収納することによって行うことが可能である。
【００６７】
なお、背面パネル部８２は、アダプタ内接続パネル８２Ａとアダプタ背面パネル８２Ｂとを一体化して構成する他、アダプタ内接続パネル８２Ａとアダプタ背面パネル８２Ｂとを分離することができるように構成することも可能である。
【００６８】
また、背面パネル部８２は、例えば、図９に示すように、アダプタ背面パネル部８２Ｂだけを、ベイアダプタボックス２４から分離することができるように構成することも可能である。
【００６９】
ここで、図９の実施の形態においては、分離可能なアダプタ背面パネル８２Ｂに、複数の雄ピンで構成される雄ピン群１０１Ｂが設けられており、ベイアダプタボックス２４には、複数の雌ピンで構成される雌ピン群１０１Ａが設けられている。ベイアダプタ背面パネル８２Ｂを、ベイアダプタボックス２４に装着すると、アダプタ背面パネル８２Ｂの雄ピン群１０１Ｂを構成する各雄ピンが、ベイアダプタボックス２４の雌ピン群１０１Ａを構成する、対応する雌ピンにはめ込まれ、これにより、ベイアダプタ背面パネル８２Ｂと、ベイアダプタボックス２４側のアダプタ内接続パネル８２Ａとが、電気的に接続される。
【００７０】
すなわち、アダプタ背面パネル８２Ｂに設けられたＲＧＢ用入力端子９１乃至電源端子９９は、雄ピン群１０１Ｂを構成する所定の雄ピンと電気的に接続されており、アダプタ内接続パネル８２Ａに設けられた端子も、雌ピン群１０１Ａを構成する所定の雌ピンと電気的に接続されている。そして、アダプタ背面パネル８２Ｂの雄ピン群１０１Ｂを構成する各雄ピンが、ベイアダプタボックス２４の雌ピン群１０１Ａを構成する、対応する雌ピンにはめ込まれることにより、その雌ピン群１０１Ａおよび雄ピン群１０１Ｂを介して、アダプタ背面パネル８２Ｂに設けられたＲＧＢ用入力端子９１乃至電源端子９９それぞれと、アダプタ内接続パネル８２Ａに設けられた、対応する端子それぞれとが、電気的に接続される。
【００７１】
上述のように、アダプタ内接続パネル８２Ａにおいて、各メーカの非対応電子機器の信号端子の位置に対応した固定の位置に、その信号端子と接続される接続端子を設ける場合には、例えば、図８に示したように、背面パネル部８２を着脱可能に構成したとしても、メーカ毎に、そのメーカの非対応電子機器の信号端子の位置に対応した固定の位置に信号端子が設けられたアダプタ内接続パネル８２Ａを有する背面パネル部８２が必要となる。
【００７２】
図１０は、複数（あるいは、すべて）のメーカの非対応電子機器に対処することのできる背面パネル部８２の構成例を示す斜視図である。
【００７３】
すなわち、図１０の実施の形態においては、アダプタ内接続パネル８２Ａに代わって、アダプタ内接続パネル８２Ｃが設けられ、アダプタ内接続パネル８２Ｃに設けられた、非対応電子機器の信号端子と接続される端子１１３や端子１１４を移動させることができるようになっている。つまり、端子１１３や端子１１４は、非対応電子機器の信号端子と接続する位置に移動することができるようになっている。
【００７４】
なお、図１０の実施の形態では、図が煩雑になるのを避けるため、アダプタ内接続パネル８２Ｃには、２つの端子１１３および端子１１４だけを図示してある。
【００７５】
図１０の実施の形態においては、アダプタ内接続パネル８２Ｃは、複数のスリット板１１１から構成されている。
【００７６】
すなわち、スリット板１１１は、例えば、導電性のある平板形状の板（薄膜）で構成され、各スリット板１１１には、格子状に、スリット（穴）１１２が設けられている。そして、端子１１３（端子１１４）は、このスリット１１２に沿って、図１０において矢印で示すように移動することができるようになっている。
【００７７】
図１１は、図１０に示したアダプタ内接続パネル８２Ｃの側面の断面図である。
【００７８】
複数のスリット板１１１は、絶縁体１２２に挟まれて接着されており、最も、アダプタ背面パネル８２Ｂ側の絶縁体１２２は、底板１２１に固定されている。なお、絶縁体１２２は、スリット板１１１に設けられたスリット１１２よりも大きな間隔を空けて配置されている。
【００７９】
また、最も、端子１１３（端子１１４）側のスリット板１１１の表面には、絶縁膜１２６が形成されている。この絶縁膜１２６は、端子１１３や端子１１４が、複数のスリット板１１１のうちの、最も端子１１３側にあるものと電気的に接続されるのを防止する。
【００８０】
端子１１３（端子１１４）には、スリット１１２の幅よりも、やや小さい直径を有する棒状の胴体部１２３（１２７）が取り付けられており、この胴体部１２３が、スリット１１２に沿ってスライドすることにより、端子１１３を、スリット１１２上の任意の位置に移動させることができるようになっている。
【００８１】
また、胴体部１２３（１２７）の、端子１１３（１１４）が取り付けられていない方の端部には、導体で構成される接点金具１２４（１２８）が固定されており、この接点金具１２４が、複数のスリット板１１１のうちの所定のものと接するようになっている。ここで、図１１の実施の形態では、端子１１３の胴体部１２３に取り付けられた接点金具１２４は、最も、底板１２１側の２枚のスリット板１１１と接している。
【００８２】
そして、複数のスリット板１１１それぞれは、アダプタ背面パネル８２Ｂに設けられたＲＧＢ用入力端子９１乃至電源端子９９のうちの所定のものと接続されているので、端子１１３は、胴体部１２３の内部、接点金具１２４、およびスリット板１１１を介して、アダプタ背面パネル８２Ｂに設けられたＲＧＢ用入力端子９１乃至電源端子９９のうちの所定のものと電気的に接続される。
【００８３】
なお、端子１１４の胴体部１２７は、端子１１３の胴体部１２３よりも短くなっており、これにより、端子１１４の胴体部１２７に固定された接点金具１２８は、端子１１３の胴体部１２３に固定された接点金具１２４が接しているスリット板１１１よりも、端子１１３（端子１１４）側にあるスリット板１１１に接するようになっている。これにより、端子１１３は、それに対応するアダプタ背面パネル８２Ｂの端子に、端子１１４も、それに対応するアダプタ背面パネル８２Ｂの端子に、それぞれ電気的に接続されるようになっている。
【００８４】
また、端子１１３の胴体部１２３には（端子１１４の胴体部１２７も同様）、その表面に、絶縁膜が形成されており、端子１１３が、接点金具１２４が接するスリット板１１１以外のスリット板１１１と電気的に接続されることが防止されるようになっている。
【００８５】
胴体部１２３の、端子１１３側の端部には、図１２に示すように、ねじが切られたねじ部１２５が設けられている。更に、端子１１３の内部にもねじが切られており、端子１１３は、胴体部１２３のねじ部１２５に螺合している。
【００８６】
端子１１３を、その端子１１３側から見て、例えば、反時計回りに回すと、ねじがゆるみ、図１２に示すように、端子１１３が、絶縁膜１２６から離れるとともに、胴体部１２３の接点金具１２４が、スリット板１１１から離れる。これにより、端子１１３は、胴体部１２４とともに、スリット１１２に沿って移動可能な状態となる。
【００８７】
なお、図１２の実施の形態においては、端子１１４、胴体部１２７、および接点金具１２８の図示を省略してあるが、端子１１４も、端子１１３と同様にして、スリット１１２に沿って移動することができるようになっている。
【００８８】
一方、端子１１３を、その端子１１３側から見て、例えば、反時計回りに回すと、ねじがしまり、図１１に示したように、端子１１３の、絶縁膜１２６側の端部が、絶縁膜１２６に押しつけられ、更に、胴体部１２３の接点金具１２４が、本来接すべきスリット板１１１に、所定の圧力をもって押しつけられる。これにより、端子１１３は、スリット１１２に沿った所定の位置に固定され、更に、胴体部１２４および接点金具１２４を介して、スリット板１１１と、電気的に接続される。
【００８９】
次に、図１３は、非対応電子機器の信号端子と接続される端子を移動させることができる背面パネル部８２の他の構成例を示す斜視図である。
【００９０】
図１３の実施の形態においては、アダプタ内接続パネル８２Ｄに、多数の挿入口（穴）１３１が設けられており、端子１３２や端子１３３は、この多数の挿入口１３１のうちの任意の位置に移動することができるようになっている。
【００９１】
すなわち、端子１３２は、例えば、挿入口１３１に挿入することのできるピンジャック形状の胴体部１３２Ａを有しており、この胴体部１３２Ａを、挿入口１３１に差し込むことで、端子１３２は、その挿入口１３１の位置に固定される。
【００９２】
なお、端子１３２の胴体部１３２Ａと、端子１３３の胴体部端子１３３Ａとは、異なる長さとなっており、これにより、端子１３２の胴体部１３２Ａを挿入口１３１に差し込んだ場合と、端子１３３の胴体部端子１３３Ａを挿入口１３１に差し込んだ場合とで、アダプタ背面パネル８２Ｂの、異なる端子に、電気的に接続されるようになっている。
【００９３】
次に、図１４は、端子を移動させることができる背面パネル部８２の更に他の構成例を示す斜視図である。なお、図中、図９における場合と対応する部分については、同一の符号を付してある。
【００９４】
図１４の実施の形態においては、背面パネル部８２のアダプタ背面パネル８２Ｂが、図９の実施の形態で説明したように着脱可能となっている。
【００９５】
更に、図１４の実施の形態では、アダプタ内接続パネル８２Ｅが、複数の接続板１４１で構成されている。ベイアダプタボックス２４の左右それぞれには、Ｕ字型のはめ込み用スリット１４２Ｌと１４２Ｒが設けられており、接続板１４１は、このはめ込み用スリット１４２Ｌと１４２Ｒにはめ込まれることで固定されるようになっている。なお、接続板１４１は、はめ込み用スリット１４２Ｌおよび１４２Ｒに沿ってスライドすることで、容易に着脱することができるようになっている。
【００９６】
接続板１４１は、例えば、図１５に示すように、格子状に、枠１４４が形成されており、更に、その枠１４４の内周面には、後述するパッチ板１４３をはめ込むことのできる溝としての枠溝１４５が形成されている。枠１４４で区切られた穴（空間）である枠穴１４６は、図１６の斜視図、図１７の側面図、および図１８の平面図に示す、平板形状のパッチ板１４３とほぼ同様の大きさに構成されており、このパッチ板１４３は、その外周部分が、枠１４４の内周に形成された枠溝１４５に嵌合することによって、枠穴１４６に固定することができるようになっている。
【００９７】
そして、図１６乃至図１８に示すように、パッチ板１４３には、端子１４８が設けられており、パッチ板１４３をはめ込む枠穴１４６の位置を変えることにより、そのパッチ板１４３に設けられた端子１４８の配置位置を移動させることができるようになっている。
【００９８】
端子１４８は、パッチ板１４３が枠１４４にはめ込まれることにより、その枠１４４と電気的に接続される。更に、接続板１４１には、図１５に示されるように、はめ込みスリット１４２Ｒ（図１４）と嵌合する外周部分に、接続端子１４７が設けられており、枠１４４は、この接続端子１４７と電気的に接続されている。また、図１９に示されるように、はめ込み用スリット１４２Ｒには、導電部１４９が設けられており、接続板１４１がはめ込み用スリット１４２Ｒにはめ込まれることにより、接続端子１４７は、導電部１４９と電気的に接続される。そして、導電部１４９は、雌ピン群１０１Ａおよび雄ピン群１０１Ｂを介して、アダプタ背面パネル８２Ｂの所定の端子と接続されるようになっており、枠１４４にパッチ板１４３がはめ込まれた端子１４８は、パッチ板１４３、枠１４４、接続端子１４７、導電部１４９、並びに雌ピン群１０１Ａおよび雄ピン群１０１Ｂを介して、アダプタ背面パネル８２Ｂの所定の端子と、電気的に接続される。
【００９９】
ここで、複数の接続板１４１それぞれにおいては、接続端子１４７が異なる位置に設けられており、更に、はめ込み用スリット１４２Ｒの導電部１４９は、そのはめ込み用スリット１４２Ｒにはめ込まれる接続板１４１の接続端子１４７に対応する位置に設けられている。従って、接続板１４１の接続端子１４７は、その接続板１４１が正しいはめ込み用スリット１４２Ｒにはめ込まれたときに、そのはめ込み用スリット１４２Ｒに設けられた導電部１４９と接続するようになっており、これにより、接続板１４１が、誤ったはめ込み用スリット１４２Ｒにはめ込まれたときであっても、その接続板１４１にはめ込まれた端子１４８と、雌ピン群１０１Ａおよび雄ピン群１０１Ｂを介して導電部１４９に接続される、アダプタ背面パネル８２Ｂの端子（端子１４８に接続されるべき端子ではない端子）とが、電気的に接続されるのを防止するようになっている。
【０１００】
なお、それ以外にも、例えば、接続板１４１がはめ込まれるべきはめ込み用スリット１４２Ｌおよび１４２Ｒにのみ、その接続板１４１がはめ込み可能なように、接続板１４１、並びに、はめ込み用スリット１４２Ｌおよび１４２Ｒを構成することによって、本来接続されるべきではない、接続板１４１にはめ込まれた端子１４８と、アダプタ背面パネル８２Ｂの端子とが、電気的に接続されるのを防止することも可能である。
【０１０１】
パッチ板１４３が枠穴１４６にはめ込まれることにより、接続板１４１の所定の位置に固定された端子１４８は、直接、あるいは、その前方（図１４のベイアダプタボックス２４におけるスロット８１（図５）が開いている方）に配置される接続板１４１の枠穴１４６を介して、ベイアダプタボックス２４におけるスロット８１の開口方向に露出し、これにより、ベイアダプタボックス２４のスロット８１に収納される非対応電子機器の端子と接続される。
【０１０２】
以上のように、アダプタ内接続パネルに設けられた非対応電子機器の信号端子と接続される端子を移動させることができる場合には、非対応電子機器のメーカ毎に、ベイアダプタボックス２４や背面パネル部８２を用意せずに済むので、ユーザの費用負担を低減することができる。
【０１０３】
なお、上述のように、アダプタ内接続パネルの端子が移動可能な場合、どの端子を、どの位置に移動させれば良いのかが分かりにくいことがある。そこで、例えば、アダプタ内接続パネルには、非対応電子機器のメーカ毎に、端子の位置を記述しておくようにするのが好ましい。
【０１０４】
また、ここでは、アダプタ内接続パネルに設けられた端子を移動可能なように構成することによって、各メーカの非対応電子機器に対処するようにしたが、その他、例えば、ベイ１４内のベイ内接続パネル１５に設けられたＲＧＢ用出力端子４１乃至電源端子４９を移動可能なように構成することも可能である。この場合、ベイアダプタボックス２４（あるいは、背面パネル部８２）を使用しなくても、非対応電子機器と、ベイ構造型テレビジョン受像機１とを電気的に接続することが可能となる。
【０１０５】
また、コントロールベイ１６のベイ内接続パネル１７と、コントロールユニット３１の背面の電気的接続方法も、ベイ１４のベイ内接続パネル１５と、電子機器２１、電子機器２２、および、ベイアダプタボックス２４を用いた電子機器３３における場合と、基本的に同様であるので、図３乃至図１９を用いて説明した場合と同様にして、さまざまな構成をとることが可能である。
【０１０６】
次に、図２０は、図１のベイ構造型テレビジョン受像機１の電気的構成例を示すブロック図である。
【０１０７】
リモートコマンダ１６１は、例えば、視聴するテレビジョン放送のチャンネルの選択や、音量調整など、ベイ１４に装着された電子機器を制御する場合、更には、後述するセレクタ１７４により、電子機器間における信号の入出力を切り替える場合等に、ユーザによって操作され、その操作に対応する信号を、赤外線によって、コントロールユニット３１に送出する。
【０１０８】
図２１に、リモートコマンダ１６１のスイッチの配置例を示す。リモートコマンダ１６１は、例えば、操作する対象となる機器を切り替える場合に操作されるベイ切替ボタン１８５−１、チューナ１８１を操作する場合に使用されるチューナ操作ボタン群１８５−２、テレビジョン信号処理ユニット１８２を操作する場合に使用されるテレビジョン信号処理ユニット操作ボタン群１８５−３、および、電子機器１８３を操作する場合に使用される電子機器操作ボタン群１８５−４で構成される。
【０１０９】
電子機器操作ボタン群１８５−４には、例えば、「再生」、「停止」、「早送り」、「巻き戻し」、「録画」、「録音」、「スキップ」などの予め用意されている操作ボタンのみならず、ユーザの操作によって割り当てられる操作軸に対応する操作ボタン（Ａｕｘ１乃至Ａｕｘ４として示されているボタン）が用意されている。ユーザの操作によって割り当てられる操作軸に対応する操作ボタンは、表示機能を有しており、後述する処理により、ユーザの処理により割り当てられた操作軸に対応する表示テキストが、ボタン上に表示される。
【０１１０】
以下、ベイ切替ボタン１８５−１乃至電子機器操作ボタン群１８５−４を、個々に区別する必要がない場合、リモートコマンダ１６１に設けられているボタン群として、単に、ボタン群１８５と総称する。
【０１１１】
リモートコマンダ１６１に設けられるボタン群１８５、もしくは、図２１には記載されていないが、必要に応じて、ボタン群１８５に変わって設けられるレバー、タッチパッド、ジョグダイヤルなどの入力デバイスは、コントロールユニット３１が記憶している、後述する操作軸テーブルの項目（図２２）に対応している。
【０１１２】
ここでは、コントロールユニット３１に対して、ユーザは、全てリモートコマンダ１６１を用いて操作入力を行うものとして説明するが、コントロールユニット３１は、例えば、ボタン、ダイヤルなど、リモートコマンダ１６１と同様の操作入力デバイス（図示しない操作入力部）を備え、ユーザの操作入力を受けるようにしてもよい。
【０１１３】
ＲＦ送受信部１７１は、リモートコマンダ１６１から送信された赤外線信号を受信し、メインコントローラ１７２に供給したり、メインコントローラ１７２からリモートコマンダ１６１へ出力する信号を赤外線信号に変換し、リモートコマンダ１６１へ送信したりする。
【０１１４】
メインコントローラ１７２は、ＲＦ送受信部１７１から供給される信号や、必要に応じて備えられる操作入力部から供給される、ユーザの操作入力を示す信号に従って、セレクタコントローラ１７３を制御し、また、必要に応じて、ベイ構造型テレビジョン受像機１を構成する各ブロック（すなわち、ベイ１４に収納されている電子機器）を制御するための制御信号を生成し、コントロールバス１７５を介して供給する。
【０１１５】
また、メインコントローラ１７２は、リモートコマンダ１６１、もしくは、図示しない操作入力部を用いてユーザにより受けることができる操作の内容を示す操作軸テーブル、ベイ１４に収納されている各ブロックを制御する場合に用いられる命令コードを記載した命令コードテーブル、後述する処理により、ユーザが操作軸を割り当てる場合に用いられる表示テキストコードテーブルなど、ベイ１４に収納されている各ブロックを制御するために必要な情報をその内部（図３５を用いて後述する記憶部３０１）に記憶している。
【０１１６】
メインコントローラ１７２は、ベイ１４に新たな電子機器が収納された場合、もしくは、ベイ１４に収納されている機器が交換された場合、コントロールバス１７５を介して、新たに収納された機器の操作軸データの入力を受け、操作軸テーブルを参照し、操作軸の割り当てを行う。
【０１１７】
図２２に、操作軸テーブルの一例を示す。
【０１１８】
データ名の欄に記載されている“Ｐｒｅｓｅｔ（Ｘ）”（Ｘ＝１，２，３，・・・）は、ベイ１４に収納される電子機器などの機能として、予め想定されている操作軸として割り当てられている項目である。一方、データ名の欄に記載されている“Ａｕｘ（Ｙ）”（Ｙ＝１，２，３，・・・）は、ベイ１４に収納される電子機器などが有する特有の機能で、“Ｐｒｅｓｅｔ（Ｘ）”として予め想定されておらず、後述する処理により、ユーザによって登録される項目である。
【０１１９】
ベイ番号とは、対応するコマンドが、ベイ１４のうちのいずれに収納されている電子機器などに対して出力されるコマンドであるかを示すものである。例えば、図１および図２を用いて説明したテレビジョンラック１１の場合、ベイ番号のＮＰ（Ｘ）（Ｘ＝１，２，３，・・・）もしくはＮＡ（Ｙ）（Ｙ＝１，２，３，・・・）には、ベイ１４Ａ乃至ベイ１４Ｇに対応して、７つの番号のいずれかが割り当てられる。
【０１２０】
命令コードは、対応するコマンドを発生する場合に、対応する電子機器などに出力される命令を示すコードである。同一のコマンドを発生する場合においても、例えば、ベイ１４に装着されている電子機器などの製造元が異なる場合、命令コードが異なる場合がある。従って、メインコントローラ１７２は、内部に記憶している、図２３に示される命令コードテーブルを参照して、コマンドの対象となる電子機器などに対する命令コードを選択し、操作軸テーブル（図２２）のＣＰ（Ｘ）（Ｘ＝１，２，３，・・・）もしくはＣＡ（Ｙ）（Ｙ＝１，２，３，・・・）の対応する部分に命令コードを登録する。
【０１２１】
図２３の例では、メーカＡ，Ｂ，Ｃの「再生」、「停止」、「早送」、「巻戻」の命令コードが、命令コードテーブルに記憶されている。
【０１２２】
図２２のボタン／表示テキスト欄には、リモートコマンダ１６１に予め備えられているボタンなどがコマンドに対応している場合、すなわち、予め想定されている操作軸とコマンドが対応している場合、そのボタンなどの名称が記載される。一方、リモートコマンダ１６１に予め備えられているボタンなどがコマンドに対応していない場合、すなわち、操作軸が予め想定されていない場合、後述する処理により、ユーザによって、“ＡｕｘＸ”が登録されるので、そのときに、ユーザによって選択された表示テキストのコードが、ＤＰ（Ｙ）（Ｙ＝１，２，３，・・・）の対応する部分に記載される。
【０１２３】
図２４に表示テキストコードテーブルの一例を示す。ユーザが、予め想定されていない操作軸を登録する場合、表示テキストコードテーブルに記載されている表示テキストの一覧が、ＣＲＴ１２に表示される。ユーザは、ＣＲＴ１２を参照して、登録する操作軸に対応するテキストを選択する。メインコントローラ１７２は、ユーザによって選択されたテキストに対応するコードを、操作軸テーブルに登録する。
【０１２４】
図２４の例の場合、「バスブースト」、「加速」、「減速」、「アップ」、または、「ダウン」の表示テキストが、コード０ｘ０１乃至０ｘ０５として登録されている。
【０１２５】
図２２を用いて説明した操作軸テーブルの項目数と、コントロールユニット３１が制御可能な操作軸の総数、すなわち、図２１を用いて説明したリモートコマンダ１６１の操作ボタンなどの総数とは等しい。すなわち、コントロールユニット３１の操作軸テーブルは、そのコントロールユニット３１が制御可能な操作軸と対応する項目を有するものである。
【０１２６】
再び、図２０に戻り、ベイ構造型テレビジョン受像機１の構成について説明する。
【０１２７】
コントロールバス１７５は、メインコントローラ１７２から供給された制御信号（例えば、リモートコマンダ１６１によってユーザが入力した操作に対応する制御信号）を、ベイ１４に装着されているチューナ１８１、テレビジョン信号処理ユニット１８２、もしくは電子機器１８３−１乃至１８３−３のうちの対応するものに出力する。また、コントロールバス１７５は、ベイ１４に新たな電子機器が装着された場合、その電子機器が記憶している操作軸データをメインコントローラ１７２に供給する。コントロールバス１７５は、例えば、パラレルバス、シリアルバス、光ケーブル、無線等で構成され、比較的低容量の信号しか流れないため、低速な線であってもかまわない。
【０１２８】
セレクタコントローラ１７３は、メインコントローラ１７２の制御等に従い、セレクタ１７４を制御する。
【０１２９】
セレクタ１７４は、ＣＲＴ１２、スピーカ１３、および、ベイ１４に装着されているそれぞれの電子機器（すなわち、ベイ１４Ａ乃至１４Ｇそれぞれに設けられたベイ内接続パネル１５の端子）と接続されている。そして、セレクタ１７４は、セレクタコントローラ１７３の制御に従い、そこに入力される入力信号の出力先を切り替える。
【０１３０】
セレクタ１７４から、ベイ１４に装着されているそれぞれの電子機器へ信号を供給する信号線は、例えば、パラレルバス、シリアルバス、光ケーブル、無線等で構成され、主に大量のデータ転送を行うため、高速な線を用いるのが好適である。
【０１３１】
ＣＲＴ１２は、セレクタ１７４が出力する画像信号を表示し、スピーカ１３は、セレクタ１７４が出力する音声信号を出力する。
【０１３２】
また、コントロールバス１７５には、ハードディスクドライブ１７６も接続されている。ハードディスクドライブ１７６は、ハードディスクを駆動し、それらにベイ１４に収納されている機器によって処理される情報などを、記録または再生させる。
【０１３３】
ベイ１４には、電子機器として、チューナ１８１、テレビジョン信号処理ユニット１８２、電子機器１８３−１乃至電子機器１８３−３が装着されている。なお、図２には、チューナ１８１、および、テレビジョン信号処理ユニット１８２が、ベイ１４に装着された状態が図示されていないが、これらも、電子機器の１つとして装着されるものである。
【０１３４】
チューナ１８１は、アンテナによって、例えば、テレビジョン放送などの放送信号を受信するようになっており、チューナ１８１は、メインコントローラ１７２の制御に従って、所定のチャンネルの放送信号を検波、復調し、ベースバンドの信号を、セレクタ１７４に出力する。
【０１３５】
テレビジョン信号処理ユニット１８２は、セレクタ１７４が出力する画像信号（例えば、チューナ１８１が出力するベースバンドの画像信号）を処理し、その処理の結果得られる画像信号を、セレクタ１７４に出力する。
【０１３６】
電子機器１８３−１乃至電子機器１８３−３は、上述した電子機器２１乃至電子機器２３（図２）に対応するものであり、ベイ１４に直接収納されるものであっても、ベイアダプタボックス２４を用いて収納されるものであってもよい。電子機器１８３−１乃至電子機器１８３−３には、例えば、例えば、ビデオテープデッキ、ＣＤ（Ｃｏｍｐａｃｔ　Ｄｉｓｃ）プレーや、ＤＶＤ（Ｄｉｇｉｔａｌ　Ｖｅｒｓａｔｉｌｅ　Ｄｉｓｃ）プレーヤ、ＤＶＤ−ＲＡＭプレーヤ（ＣＤ−Ｒなども処理可能）、ＭＤ（Ｍｉｎｉ　Ｄｉｓｃ）（商標）デッキ、ハードディスクレコーダなどがある。以下、電子機器１８３−１乃至電子機器１８３−３を個々に区別する必要がない場合、単に電子機器１８３と総称する。
【０１３７】
また、以上のうち、ＣＲＴ１２、スピーカ１３、チューナ１８１、およびテレビジョン信号処理ユニット１８２が、電子機器としてのテレビジョン受像機として機能する。
【０１３８】
図２５は、図２０のベイ１４に収納されるチューナ１８１の構成を示すブロック図である。
【０１３９】
チューナ１８１は、操作入力部１９１、コントローラ１９２、Ｉ／Ｆ（Ｉｎｔｅｒｆａｃｅ）１９３、アンテナ１９４、および信号処理部１９５で構成されている。
【０１４０】
操作入力部１９１は、例えば、ボタン、タッチパネル、ダイヤル、キー、レバー、あるいは、ジョグダイヤルなどの入力デバイス、並びに、リモートコマンダから送信される、赤外線によるＲＦ信号を受信するＲＦ信号送受信部などで構成され、ユーザの操作入力を受け、ユーザの操作内容を示す信号を、コントローラ１９２に出力する。
【０１４１】
コントローラ１９２は、操作入力部１９１から供給される、あるいは、コントロールユニット３１からコントロールバス１７５およびＩ／Ｆ１９３を介して入力される、ユーザの操作内容を示す信号に従って、信号処理部１９５を制御する。
【０１４２】
また、コントローラ１９２は、記憶部１９６を有しており、その内部に、機能ＩＤ、ＩＤテーブル、および操作軸データを記憶している。機能ＩＤは、信号処理部１９５がどのような機能を有するかを識別するためのユニークなＩＤ（Ｉｄｅｎｔｉｆｉｃａｔｉｏｎ）であり、ＩＤテーブルには、他の電子機器の機能ＩＤと、その機能ＩＤを有する電子機器と接続されたときに、テレビジョン信号処理ユニット１８２に行わせる処理の内容を表す処理情報とが対応付けられて記憶されている。コントローラ１９２は、ＩＤテーブルを参照して、例えば、信号処理部１９５が処理した信号の出力先を制御して、他の機器の機能と協調させた信号処理などを実行する。
【０１４３】
操作軸データは、操作入力部１９１がユーザより受ける操作の内容に対応する操作軸に関する情報である。コントローラ１９２は、自分自身（チューナ１８１）が、ベイ構造型テレビジョン受像機１のベイ１４に新たに装着された場合、Ｉ／Ｆ１９３を介して、コントロールベイ１６に装着されているコントロールユニット３１のメインコントローラ１７２に、操作軸データを出力する。
【０１４４】
Ｉ／Ｆ１９３は、コントローラ１９２、信号処理部１９５、セレクタ１７４、およびコントロールバス１７５それぞれとの間の信号のやりとりを制御する。
【０１４５】
アンテナ１９４は、地上波テレビジョン、衛星波テレビジョン、あるいは、ラジオ放送などの放送信号を受信し、信号処理部１９５に出力する。信号処理部１９５は、アンテナ１９４から受信信号の供給を受け、コントローラ１９２の制御に従い、ユーザが指定したチャンネルを選局する選局処理を行い、更に、中間周波増幅処理、検波処理等などを行って、Ｉ／Ｆ１９３およびセレクタ１７４を介して、所定の電子機器（例えば、テレビジョン信号処理ユニット１８２）に出力する。
【０１４６】
チューナ１８１が受信する信号としては、例えば、地上波テレビジョン放送、日本におけるＣＳ（Ｃｏｍｍｕｎｉｃａｔｉｏｎｓ　Ｓａｔｅｌｌｉｔｅ）テレビジョン放送、ＢＳ（Ｂｒｏａｄｃａｓｔｉｎｇ　Ｓａｔｅｌｌｉｔｅ）テレビジョン放送、ＦＭ（Ｆｒｅｑｕｅｎｃｙ　Ｍｏｄｕｌａｔｉｏｎ）ラジオ放送、ＡＭ（ａｍｐｌｉｔｕｄｅ　ｍｏｄｕｌａｔｉｏｎ）ラジオ放送などの放送信号がある。すなわち、電子機器としてのチューナ１８１は、例えば、図２６に示されるように、地上波テレビジョン放送、ＢＳテレビジョン放送、およびＣＳテレビジョン放送を切り替えて受信することができるチューナ１８１−１（図２６Ａ）、あるいは、ＦＭラジオ放送およびＡＭラジオ放送を切り替えて受信することができるチューナ１８１−２（図２６Ｂ）として構成される。
【０１４７】
チューナ１８１−１の操作入力部１９１は、チャンネルを選択するボタン（数字１乃至１２のボタン）、チャンネルをアップさせるためのボタン（図中、上向きの三角形が表示されているボタン）、チャンネルをダウンさせるためのボタン（図中、下向きの三角形が表示されているボタン）、およびバンド切替えを行うためのボタン（図中、文字が表示されていないボタン）で構成されている。また、チューナ１８１−２の操作入力部１９１は、周波数チューニングを行うために周波数をアップさせるためのボタン（図中、上向きの三角形が表示されているボタン）、周波数をダウンさせるためのボタン（図中、下向きの三角形が表示されているボタン）、およびＦＭとＡＭを切り替えるためのボタン（図中、文字が表示されていないボタン）で構成されている。
【０１４８】
なお、図２６においては、それぞれのチューナ１８１の操作入力部１９１のボタンについて説明したが、これらのチューナ１８１を操作するために、図示しないリモートコマンダがそれぞれ設けられており、これらのリモートコマンダにも、図２６を用いて説明したものと同様のボタンが備えられる。
【０１４９】
チューナ１８１−１およびチューナ１８１−２の機能と操作軸との関係を図２７に示す。地上波テレビジョン放送、ＢＳテレビジョン放送、およびＣＳテレビジョン放送を切り替えて受信することができるチューナ１８１−１は、チャンネルの指定、アップダウン、およびバンド切替えの３つの操作軸を有している。一方、ＦＭラジオ放送およびＡＭラジオ放送を切り替えて受信することができるチューナ１８１−２は、チャンネルの操作軸を有していないが、アップダウン、およびバンド切替えの２つの操作軸を有している。すなわち、チューナ１８１−１もしくはチューナ１８１−２のいずれかが、ベイ１４に装着される場合、ベイ１４に追加される機能が異なるものであるのにもかかわらず、操作軸は共通なものが多い。
【０１５０】
次に、図２８は、ベイ１４に収納される電子機器１８３の構成を示すブロック図である。
【０１５１】
電子機器２１は、操作入力部２０１、コントローラ２０２、Ｉ／Ｆ２０３、特有ブロック２０４、および信号処理部２０５で構成されている。
【０１５２】
操作入力部２０１は、例えば、ボタン、タッチパネル、ダイヤル、キー、レバー、あるいは、ジョグダイヤルなどの入力デバイス、並びに、リモートコマンダから送信される赤外線によるＲＦ信号を受信するＲＦ信号送受信部などで構成され、ユーザの操作入力を受け、ユーザの操作内容を示す信号を、コントローラ２０２に出力する。
【０１５３】
コントローラ２０２は、操作入力部２０１から供給される、あるいは、コントロールユニット３１からコントロールバス１７５およびＩ／Ｆ２０３を介して入力される、ユーザの操作内容を示す信号に従って、信号処理部２０５を制御する。
【０１５４】
また、コントローラ２０２は、記憶部２０６を有しており、その内部に、機能ＩＤ、ＩＤテーブル、および操作軸データを記憶している。機能ＩＤは、信号処理部２０５がどのような機能を有するかを識別するためのユニークなＩＤであり、ＩＤテーブルには、テレビジョン信号処理ユニット１８２の機能ＩＤと、対応する処理情報が記憶されている。処理情報は、その機能ＩＤを有するテレビジョン信号処理ユニット１８２と接続されたときに、テレビジョン信号処理ユニット１８２の機能と協調させて、自分自身の信号処理部２０５に実行させる処理の内容を表す情報である。テレビジョン信号処理ユニット１８２と接続された場合、コントローラ２０２は、ＩＤテーブルを参照して、テレビジョン信号処理ユニット１８２の機能と協調させた信号処理を、信号処理部２０５に実行させる。
【０１５５】
操作軸データは、操作入力部２０１がユーザより受ける操作の内容に対応する操作軸に関する情報である。コントローラ２０２は、自分自身（電子機器１８３）が、ベイ構造型テレビジョン受像機１のベイ１４に新たに装着された場合、Ｉ／Ｆ２０３を介して、コントロールベイ１６に装着されているコントロールユニット３１のメインコントローラ１７２に、操作軸データを出力する。
【０１５６】
Ｉ／Ｆ２０３は、コントローラ２０２、信号処理部２０５、セレクタ１７４、およびコントロールバス１７５それぞれとの間の信号のやりとりを制御する。
【０１５７】
特有ブロック２０４は、電子機器１８３に特有のブロックである。例えば、電子機器１８３がＤＶＤプレーヤである場合、特有ブロック２０４は、図示せぬＤＶＤにレーザ光を照射し、その反射光を受光して光電変換する光ピックアップ等で構成される。また、特有ブロック２０４は、電子機器１８３が、例えば、ディジタルＶＴＲである場合には、ビデオテープを駆動する駆動機構や、ビデオテープに対して、信号の記録、または、再生を行う磁気ヘッド等で構成される。
【０１５８】
信号処理部２０５は、コントローラ２０２の制御に従って、特有ブロックから入力された信号に所定の処理を施して、Ｉ／Ｆ２０３およびセレクタ１７４を介して、処理した信号を出力する。また、電子機器１８３が、例えば、ＤＶＤプレーヤである場合においては、ＤＶＤに記録された信号は、ＭＰＥＧ（Ｍｏｖｉｎｇ　Ｐｉｃｔｕｒｅ　Ｅｘｐｅｒｔ　Ｇｒｏｕｐ）符号化されたものであることから、信号処理部２０５は、基本的に、ＭＰＥＧ符号化された信号を、ＭＰＥＧ復号する機能を有する。また、信号処理部２０５は、例えば、空間解像度向上処理を行う機能も更に有していてもよい。
【０１５９】
電子機器１８３は、例えば、ビデオテープデッキ、ＣＤ（Ｃｏｍｐａｃｔ　Ｄｉｓｃ）プレーや、ＤＶＤ（Ｄｉｇｉｔａｌ　Ｖｅｒｓａｔｉｌｅ　Ｄｉｓｃ）プレーヤ、ＤＶＤ−ＲＡＭプレーヤ（ＣＤ−Ｒなども処理可能）、ＭＤ（Ｍｉｎｉ　Ｄｉｓｃ）（商標）デッキ、ハードディスクレコーダなどとされる。すなわち、この場合、電子機器１８３は、図２９に示されるように、ビデオテープレコーダ１８３−１（図２９Ａ）、ＣＤ／ＤＶＤプレーヤ１８３−２（図２９Ｂ）、ＤＶＤ−ＲＡＭレコードプレーヤ１８３−３（図２９Ｃ）、ＭＤレコードプレーヤ１８３−４（図２９Ｄ）、もしくは、ハードディスクレコードプレーヤ１８３−５（図２９Ｅ）として構成される。
【０１６０】
ビデオテープレコーダ１８３−１の操作入力部２０１は、「再生ボタン」、「停止ボタン」、「早送りボタン」、「巻き戻しボタン」、および「録画ボタン」で構成されている。ＣＤ／ＤＶＤプレーヤ１８３−２の操作入力部２０１は、「再生ボタン」、「停止ボタン」、「早送りボタン」、「巻き戻しボタン」、並びに、「前方向のスキップボタン（図中、右方向を指向する三角形と、縦長の長方形との組み合わせが表示されたボタン）」、および「後ろ方向のスキップボタン（図中、左方向を指向する三角形と、縦長の長方形との組み合わせが表示されたボタン）」で構成されている。
【０１６１】
ＤＶＤ−ＲＡＭレコードプレーヤ１８３−３の操作入力部２０１は、「再生ボタン」、「停止ボタン」、「早送りボタン」、「巻き戻しボタン」、「前方向のスキップボタン（図中、右方向を指向する三角形と、縦長の長方形との組み合わせが表示されたボタン）」、および「後ろ方向のスキップボタン（図中、左方向を指向する三角形と、縦長の長方形との組み合わせが表示されたボタン）」、並びに、「録画ボタン」で構成されている。ＭＤレコードプレーヤ１８３−４の操作入力部２０１は、「再生ボタン」、「停止ボタン」、「早送りボタン」、「巻き戻しボタン」、「前方向のスキップボタン（図中、右方向を指向する三角形と、縦長の長方形との組み合わせが表示されたボタン）」、および「後ろ方向のスキップボタン（図中、左方向を指向する三角形と、縦長の長方形との組み合わせが表示されたボタン）」、並びに、「録画ボタン」で構成されている。
【０１６２】
ハードディスクレコードプレーヤ１８３−５の操作入力部２０１は、「再生ボタン」、「停止ボタン」、「早送りボタン」、「巻き戻しボタン」、「前方向のスキップボタン（図中、右方向を指向する三角形と、縦長の長方形との組み合わせが表示されたボタン）」、および「後ろ方向のスキップボタン（図中、左方向を指向する三角形と、縦長の長方形との組み合わせが表示されたボタン）」、並びに、「録画ボタン」で構成されている。
【０１６３】
なお、図２９においては、それぞれの電子機器１８３の操作入力部２０１のボタンについて説明したが、これらの電子機器１８３を操作するために、図示しないリモートコマンダがそれぞれ設けられており、これらのリモートコマンダにも、図２９を用いて説明したものと同様のボタンが備えられる。
【０１６４】
以上の、ビデオテープレコーダ１８３−１、ＣＤ／ＤＶＤプレーヤ１８３−２、ＤＶＤ−ＲＡＭレコードプレーヤ１８３−３、ＭＤレコードプレーヤ１８３−４、および、ハードディスクレコードプレーヤ１８３−５の機能と操作軸との関係を図３０に示す。
【０１６５】
ビデオテープレコーダ１８３−１は、「再生」、「停止」、「早送り／巻き戻し」、および「録画／録音」の操作軸を有している。ＣＤ／ＤＶＤプレーヤ１８３−２は、「再生」、「停止」、「早送り／巻き戻し」、および「スキップ」の操作軸を有している。ＤＶＤ−ＲＡＭレコードプレーヤ１８３−３、ＭＤレコードプレーヤ１８３−４、および、ハードディスクレコードプレーヤ１８３−５は、「再生」、「停止」、「早送り／巻き戻し」、「スキップ」、および「録画／録音」の操作軸を有している。
【０１６６】
すなわち、ビデオテープレコーダ１８３−１乃至ハードディスクレコードプレーヤ１８３−５のいずれかが、ベイ１４に装着される場合、ベイ１４に追加される機能が異なるものであるのにもかかわらず、操作軸は共通なものが多い。
【０１６７】
以上説明したチューナ１８１、および電子機器１８３が、それぞれベイ１４に装着されることにより、ベイ構造型テレビジョン受像機１の機能が追加、もしくは変更される。これに対して、テレビジョン信号処理ユニット１８１が入れ替えられることにより、ベイ構造型テレビジョン受像機１の信号処理能力は、バージョンアップ（もしくは、バージョンダウン）される。
【０１６８】
次に、図３１は、図２０のベイ１４に収納されるテレビジョン信号処理ユニット１８２の構成を示すブロック図である。
【０１６９】
テレビジョン信号処理ユニット１８２は、操作入力部２１１、コントローラ２１２、Ｉ／Ｆ２１３、および信号処理部２１４で構成されている。
【０１７０】
操作入力部２１１は、例えば、ボタン、タッチパネル、ダイヤル、キー、レバー、あるいは、ジョグダイヤルなどの入力デバイス、並びに、リモートコマンダから送信される、赤外線によるＲＦ信号を受信するＲＦ信号送受信部などで構成され、ユーザの操作入力を受け、ユーザの操作内容を示す信号を、コントローラ２１２に出力する。
【０１７１】
コントローラ２１２は、操作入力部２１１から供給される、あるいは、コントロールユニット３１からコントロールバス１７５およびＩ／Ｆ２１３を介して入力される、ユーザの操作内容を示す信号に従って、信号処理部２１４を制御する。
【０１７２】
また、コントローラ２１２は、記憶部２１５を有しており、その内部に、機能ＩＤ、ＩＤテーブル、および操作軸データを記憶している。機能ＩＤは、信号処理部２１４がどのような機能を有するかを識別するためのユニークなＩＤであり、ＩＤテーブルには、他の電子機器の機能ＩＤと、その機能ＩＤを有する他の電子機器と接続されたときに、自分自身が行う処理の内容を表す処理情報とが対応付けられて記憶されている。コントローラ２１２は、ＩＤテーブルを参照して、例えば、信号処理部２１４が処理した信号の出力先を制御して、他の機器の機能と協調させた信号処理などを実行する。
【０１７３】
操作軸データは、操作入力部２１１がユーザより受ける操作の内容に対応する操作軸に関する情報である。コントローラ２１２は、自分自身（テレビジョン信号処理ユニット１８２）が、ベイ構造型テレビジョン受像機１のベイ１４に新たに装着された場合、Ｉ／Ｆ２１３を介して、コントロールベイ１６に装着されているコントロールユニット３１のメインコントローラ１７２に、操作軸データを出力する。
【０１７４】
Ｉ／Ｆ２１３は、コントローラ２１２、信号処理部２１４、セレクタ１７４、およびコントロールバス１７５それぞれとの間の信号のやりとりを制御する。
【０１７５】
信号処理部２１４は、セレクタ１７４およびＩ／Ｆ２１３を介して、チューナ１８１が受信した放送信号、もしくは、電子機器１８３のいずれかから供給された信号の入力を受け、コントローラ２１２の制御に従い、例えば、画素数変換などの、所定の画像処理を実行し、Ｉ／Ｆ２１３およびセレクタ１７４を介して、ＣＲＴ１２に出力して表示させたり、ベイ１４に挿入されたいずれかの電子機器１８３に供給したりする。
【０１７６】
テレビジョン信号処理ユニット１８２は、採用されている画像処理方式によって、異なる機能を有している。例えば、図３２に示されるように、画像処理方式Ａにより画像処理を行うテレビジョン信号処理ユニット１８２−１（図３２Ａ）は、画素数変換を行うことにより画質を向上させるＤＲＣ（Ｄｉｇｉｔａｌ　Ｒｅａｌｉｔｙ　Ｃｒｅａｔｉｏｎ）機能を有するので、「ＤＲＣ　ＯＮ」を指令するためのボタンが備えられている。また、画像処理方式Ｂにより画像処理を行うテレビジョン信号処理ユニット１８２−２（図３２Ｂ）は、画素数変換であるＤＲＣ機能、および、インターレース画像をプログレッシブ画像に変換する機能を有するので、「ＤＲＣ　ＯＮ」を指令するためのボタン、およびインターレース−プログレッシブ変換（以下、Ｉ−Ｐ変換と称する）を指令するためのボタン（図中、ＩｏｒＰの文字が表示されているボタン）が備えられている。
【０１７７】
画像処理方式Ｃにより画像処理を行うテレビジョン信号処理ユニット１８２−３（図３２Ｃ）は、画素数変換であるＤＲＣ機能、インターレース画像をプログレッシブ画像に変換する機能、および、解像度とノイズのボリュームを調節する機能を有するので、「ＤＲＣ　ＯＮ」を指令するためのボタン、Ｉ−Ｐ変換を指令するためのボタン（図中、ＩｏｒＰの文字が表示されているボタン）、調節するパラメータ（解像度とノイズ）を切り替えるボタン（図中、「解像度／ノイズ」の文字が表示されているボタン）、および、パラメータを調節するためのボリュームアップダウンボタン（図中、上または下方向の三角形が示されているボタン）が備えられている。
【０１７８】
そして、画像処理方式Ｄにより画像処理を行うテレビジョン信号処理ユニット１８２−４（図３２Ｄ）は、画素数変換であるＤＲＣ機能、インターレース画像をプログレッシブ画像に変換する機能、解像度とノイズのボリュームを調節する機能、および、ＤＲＣにおける画素数を調整する機能を有するので、「ＤＲＣ　ＯＮ」を指令するためのボタン、Ｉ−Ｐ変換を指令するためのボタン（図中、ＩｏｒＰの文字が表示されているボタン）、調節するパラメータ（解像度とノイズ）を切り替えるボタン（図中、「解像度／ノイズ」の文字が表示されているボタン）、パラメータを調節するためのボリュームアップダウンボタン（図中、上または下方向の三角形が示されているボタン）、ＤＲＣボリュームの調整ＯＮを指令するボタン（図中、ボタンＮの文字が表示されているボタン）、および、ＤＲＣボリュームの調整のためのボリュームアップダウンボタン（図中、上または下方向の三角形が示されているボタン）が備えられている。
【０１７９】
なお、図３２においては、それぞれのテレビジョン信号処理ユニット１８２の操作入力部２１１のボタンについて説明したが、これらのテレビジョン信号処理ユニット１８２を操作するために、図示しないリモートコマンダがそれぞれ設けられており、これらのリモートコマンダにも、図３２を用いて説明したものと同様のボタンが備えられる。
【０１８０】
テレビジョン信号処理ユニット１８２−１乃至１８２−４における画像処理方式Ａ乃至画像処理方式Ｄの機能と操作軸との関係を図３３に示す。画像処理方式Ａを行うテレビジョン信号処理ユニット１８２−１は、ＤＲＣのＯＮ／ＯＦＦの操作軸を有している。画像処理方式Ｂを行うテレビジョン信号処理ユニット１８２−２は、ＤＲＣのＯＮ／ＯＦＦ、および、Ｉ−Ｐ変換の操作軸を有している。画像処理方式Ｃを行うテレビジョン信号処理ユニット１８２−３は、ＤＲＣのＯＮ／ＯＦＦ、Ｉ−Ｐ変換、解像度／ノイズ切替え、および、解像度／ノイズボリュームアップダウンの操作軸を有している。画像処理方式Ｄを行うテレビジョン信号処理ユニット１８２−４は、ＤＲＣのＯＮ／ＯＦＦ、Ｉ−Ｐ変換、解像度／ノイズ切替え、解像度／ノイズボリュームアップダウン、ＤＲＣボリュームＯＮ／ＯＦＦ、およびＤＲＣボリュームアップダウンの操作軸を有している。
【０１８１】
すなわち、テレビジョン信号処理ユニット１８２−１乃至１８２−４のいずれかが、入れ替えられて、ベイ１４に装着され、テレビジョン信号処理ユニット１８２がバージョンアップされる場合、バージョンアップにより機能が増えるため、操作軸も増える。
【０１８２】
以上説明したように、ベイ１４に装着される電子機器等の追加、あるいは入替えにより、ベイ構造テレビジョン受像機１の機能が追加、または交換されたり、機能がバージョンアップされたりするが、このとき、ベイ１４に装着される、チューナ１８１、テレビジョン信号処理ユニット１８２、もしくは電子機器１８３の種類により、操作軸が異なる。コントロールベイ１６に装着されているコントロールユニット３１のメインコントローラ１７２は、新たに装着された機器の操作軸データを取得することにより、操作軸を割り当てる処理を実行する。
【０１８３】
また、ベイ１４に装着される、チューナ１８１、テレビジョン信号処理ユニット１８２、もしくは電子機器１８３の種類により、それらが有する操作軸に、現在、コントロールベイ１６に装着されているコントロールユニット３１が割り当てることが可能な操作軸以外のものが含まれている場合、コントロールユニット３１は、交換されなければならない。
【０１８４】
次に、図３４のフローチャートを参照して、操作軸対応処理について説明する。
【０１８５】
ステップＳ１において、コントロールユニット３１のメインコントローラ１７２は、ベイ１４に新しい電子機器（チューナ１８１、テレビジョン信号処理ユニット１８２、もしくは電子機器１８３）が装着されたか否かを判断する。ステップＳ１において、ベイ１４に新しい電子機器が装着されていないと判断された場合、ベイ１４に新しい電子機器が装着されたと判断されるまで、ステップＳ１の処理が繰り返される。
【０１８６】
ステップＳ１において、ベイ１４に新しい電子機器が装着されたと判断された場合、ステップＳ２において、メインコントローラ１７２は、コントロールバス１７５を介して、新しく装着された電子機器から、操作軸データを取得する。
【０１８７】
上述したように、ベイ１４に装着されるチューナ１８１は記憶部１９６（図２５）に、テレビジョン信号処理ユニット１８２は記憶部２１５（図２８）に、また、電子機器１８３は記憶部２０６（図３１）に、それぞれ、操作軸データを記憶している。メインコントローラ１７２は、図３５に示されるように、コントロールバス１７５を介して、新しく装着された電子機器から、操作軸データを取得し、内部の記憶部３０１に記憶されている、リモートコマンダ１６１などの操作スイッチ類に対応した操作軸テーブル３１１を参照して、新しく装着された電子機器の操作軸の対応を確認する。
【０１８８】
ステップＳ３において、メインコントローラ１７２は、記憶部３０１に記憶されている操作軸テーブル３１１に、取得された操作軸データに対応する項目があるか否か、すなわち、新しく装着された電子機器が有する操作軸は、想定された操作軸であるか否かを判断する。
【０１８９】
ステップＳ３において、取得された操作軸は、想定された操作軸であると判断された場合、ステップＳ４において、図３６を用いて後述する操作軸割り当て処理１が実行される。
【０１９０】
ステップＳ３において、取得された操作軸は、想定された操作軸ではないと判断された場合、ステップＳ５において、メインコントローラ１７２は、操作軸テーブル３１１の、新たにユーザが設定可能なコマンドの登録数に空きがあるか否か、並びに、命令コードテーブルおよび表示テキストコードテーブルに、取得された操作軸に対応するものがあるか否かに基づいて、ユーザの操作により操作軸を割り当てることが可能であるか否かを判断する。
【０１９１】
ステップＳ５において、ユーザの操作により操作割り当てが可能であると判断された場合、ステップＳ６において、図３７を用いて後述する操作軸割り当て処理２が実行される。
【０１９２】
ステップＳ４の処理の終了後、もしくは、ステップＳ６の処理の終了後、ステップＳ７において、メインコントローラ１７２は、新しく装着された電子機器の全ての操作軸を割り当てたか否かを判断する。ステップＳ７において、まだ、全ての操作軸を割り当てていないと判断された場合、処理は、ステップＳ２に戻り、それ以降の処理が繰り返される。
【０１９３】
ステップＳ７において、全ての操作軸を割り当てたと判断された場合、ステップＳ８において、メインコントローラ１７２は、現状のコントロールユニット３１で、新たに装着された電子機器を含む、ベイ１４に装着された全ての電子機器を制御すると判断し、例えば、ＲＦ送受信部１７１から入力されたユーザの操作を示す信号を基に、ベイ１４に装着されたいずれかの電子機器を制御する命令コードを抽出して、コントロールバス１７５を介して、対応する電子機器に出力するなどして、制御を開始し、操作軸対応処理が終了される。
【０１９４】
ステップＳ５において、ユーザの操作により操作割り当てが可能でないと判断された場合、ステップＳ９において、メインコントローラ１７２は、コントロールユニット３１の交換を促すメッセージに対応するデータを生成し、セレクタ１７４を介して、ＣＲＴ１２に出力する。ＣＲＴ１２は、コントロールユニット３１の交換を促すメッセージを表示して、処理が終了される。
【０１９５】
例えば、図２１を用いて説明したリモートコマンダ１６１に対応する操作軸を有するコントロールユニット３１がコントロールベイ１６に装着され、図３１および図３２を用いて説明した、画像処理方式Ｄのテレビジョン信号処理ユニット１８２−４がベイ１４に装着された場合、メインコントローラ１７２は、ベイ１４に新しく装着されたテレビジョン信号処理ユニット１８２−４の操作軸のうち、ＤＲＣボリューム変換のＯＮ／ＯＦＦ、およびボリュームのアップダウンに対応する操作軸は、予め想定された操作軸ではないと判断する。
【０１９６】
このとき、命令コードテーブル、および表示テキストコードテーブルに、ＤＲＣボリューム変換のＯＮ／ＯＦＦおよびボリュームのアップダウンに対応するものが登録されていない場合、メインコントローラ１７２は、ベイ１４に新しく装着されたテレビジョン信号処理ユニット１８２−４の操作軸のうち、ＤＲＣボリューム変換のＯＮ／ＯＦＦおよびボリュームのアップダウンに対応する操作軸は、ユーザの操作により操作割り当てが可能でないと判断して、ＣＲＴ１２に、コントロールユニットの交換を促すメッセージを表示させる。
【０１９７】
また、ステップＳ９において、ＣＲＴ１２に、コントロールユニット３１の交換を促すメッセージを表示され、ユーザが、コントロールベイ１６に収納されているコントロールユニット３１を、ベイ１４に収納されている機器に対応する、異なる操作軸を有するコントロールユニット３１に交換した場合、新たに収納されたコントロールユニット３１は、ベイ１４に収納されている全ての機器に対して、図３４のフローチャートを用いて説明した操作軸対応処理を、新たに収納された場合と同様にして実行し、ベイ１４に収納されている全ての機器の操作軸を割り当てる。
【０１９８】
このようにして、ベイ１４に新たなチューナ１８１、もしくは、電子機器１８３を収納することによって、ベイ構造型テレビジョン受像機１に新たな機能を追加、もしくは機能を交換したり、ベイ１４に収納されているチューナ１８１、テレビジョン信号処理ユニット１８２、もしくは、電子機器１８３を交換することにより、ベイ構造型テレビジョン受像機１が有する機能をバージョンアップしたりすることができる。
【０１９９】
また、ベイ１４に収納されているチューナ１８１、テレビジョン信号処理ユニット１８２、もしくは、電子機器１８３への操作を制御するコントロールユニット３１は、新たに収納された、もしくは、交換された電子機器１８３などの操作軸を、記憶部３０１に記憶されている操作軸テーブル３１１の項目に対応させるための処理を実行し、コントロールユニット３１が対応することができない場合、コントロールユニット３１が交換される。
【０２００】
次に、図３６のフローチャートを参照して、図３４のステップＳ４において実行される操作軸割り当て処理１について説明する。
【０２０１】
ステップＳ２１において、メインコントローラ１７２は、コントロールする機器が収納されているのはベイ１４（ベイ１４Ａ乃至ベイ１４Ｇ）のうちのいずれの位置であるのかを示すベイ番号を取得する。
【０２０２】
ステップＳ２２において、メインコントローラ１７２は、図３４のステップＳ２において取得した操作軸データを基に、図２３を用いて説明した命令コードテーブルを参照して、操作軸データに対応する命令コードを取得する。
【０２０３】
ステップＳ２３において、メインコントローラ１７２は、ステップＳ２１において取得したベイ番号、および、ステップＳ２２において取得した命令コードを、図２２を用いて説明した操作軸テーブルに登録して、処理は、図３４のステップＳ７に戻る。
【０２０４】
例えば、電子機器１８３がベイ１４に全く収納されていない状態で、図２９を用いて説明したビデオテープレコーダ１８３−１が、Ａ社の製品であり、ベイ１４の、ベイ番号２に対応する位置に収納された場合、メインコントローラ１７２は、ビデオテープレコーダ１８３−１のコントローラ２０２が記憶している操作軸データを取得する。そして、メインコントローラ１７２は、取得した操作軸データを基に、図２２の操作軸テーブルのＰｒｅｓｅｔ１乃至Ｐｒｅｓｅｔ４、およびＰｒｅｓｅｔ７のベイ番号ＮＰ１乃至ＮＰ４、およびＮＰ７に、ベイ番号２を登録し、命令コードテーブルのＡ社に対応する部分を参照して、命令コードＣＰ１乃至ＣＰ４、およびＣＰ７に、それぞれ対応する命令コード“０ｘ？？”を登録する。このようにして、ビデオテープレコーダ１８３−１の操作軸が割り当てられる。
【０２０５】
次に、図３７のフローチャートを参照して、図３４のステップＳ６において実行される操作軸割り当て処理２について説明する。
【０２０６】
ステップＳ３１において、メインコントローラ１７２は、コントロールする機器が収納されているのはベイ１４のうちのいずれの位置であるのかを示すベイ番号を取得する。
【０２０７】
ステップＳ３２において、メインコントローラ１７２は、図３４のステップＳ２において取得した操作軸データを基に、命令コードテーブルを参照して、操作軸データに対応する命令コードを取得する。
【０２０８】
ステップＳ３３において、メインコントローラ１７２は、図２４を用いて説明した表示テキストコードテーブルを参照し、ＣＲＴ１２に、表示テキスト一覧を表示させるためのデータを生成し、セレクタ１７４を介して、ＣＲＴ１２に出力する。ＣＲＴ１２は、表示テキスト一覧を表示する。
【０２０９】
ステップＳ３４において、メインコントローラ１７２は、ＲＦ送受信部１７１から入力される信号に基づいて、ユーザから、表示テキストの選択を受けたか否かを判断する。ステップＳ３４において、表示テキストの選択を受けていないと判断された場合、表示テキストの選択を受けたと判断されるまで、ステップＳ３４の処理が繰り返される。
【０２１０】
ステップＳ３４において、表示テキストの選択を受けたと判断された場合、ステップＳ３５において、メインコントローラ１７２は、表示テキストテーブルから、ユーザが選択したテキストに対応するコードを取得する。
【０２１１】
ステップＳ３６において、メインコントローラ１７２は、ステップＳ３５において取得した表示テーブルのコードを、ＲＦ送受信部１７１を介して、リモートコマンダ１６１に送信する。リモートコマンダ１６１は、電子機器操作ボタン群１８５−４の、新しく割り当てられた操作軸に対応する操作ボタンに、ユーザによって選択されたテキストを表示させる。
【０２１２】
ステップＳ３７において、メインコントローラ１７２は、ステップＳ３１において取得したベイ番号、ステップＳ３２において取得した命令コード、および、ステップＳ３５において取得した表示テーブルのコードを、操作軸テーブルに登録して、処理は、図３４のステップＳ７に戻る。
【０２１３】
例えば、ベイ１４の、ベイ番号３に対応する部分に、「バスブースト」機能を有するＢ社のＭＤレコードプレーヤが新たに収納された場合、メインコントローラ１７２は、命令コードテーブルのＢ社に対応する部分に、バスブーストに対応するコマンドがあるか否かを判断し、表示テキストコードテーブルに、バスブースト、もしくは、それに対応するテキストがあるか否かを判断する。命令コードテーブルのＢ社に対応する部分に、バスブーストに対応するコマンドがあり、表示テキストコードテーブルに、バスブースト、もしくは、それに対応するテキストがある場合、メインコントローラ１７２は、ユーザの操作によって、図３７を用いて説明した操作軸割り当て処理２を実行する。
【０２１４】
そして、データ名Ａｕｘ（Ｙ）のうちの、対応する部分のベイ番号ＮＡ（Ｙ）に、ベイ番号３が登録され、命令コードＣＡ（Ｙ）に、命令コードテーブルのＢ社のバスブーストに対応する命令コード“０ｘ？？”が登録され、表示テキストＤＰ（Ｙ）に、コード“０ｘ０１”が登録される。
【０２１５】
以上説明したようにして、コントロールベイ１６に装着されているコントロールユニット３１のメインコントローラ１７２が、操作軸を割り当てる処理を実行することにより、ベイ１４に装着される電子機器等の追加、あるいは入替えにより、ベイ構造テレビジョン受像機１の機能が追加、または交換されたり、機能がバージョンアップされたりする場合においても、ユーザは、ベイ１４に装着される電子機器等のそれぞれに対して、対応する複数のリモートコマンダを用いて操作入力を行う必要がなくなり、コントロールユニット３１のリモートコマンダ１６１のみを用いて、ベイ構造テレビジョン受像機１を操作することが可能となり、操作性が向上する。
【０２１６】
図１乃至図３７を用いて説明した場合においては、ベイ１４に装着される電子機器の種類により、実行可能な機能を変更、または追加、もしくはバージョンアップすることができ、コントロールベイ１６に装着されるコントロールユニット３１によって、ベイ１４に装着されている複数の電子機器などの操作を統括して制御することができる、ベイ構造型テレビジョン受像機１について説明したが、例えば、信号処理を共通として、信号入出力を行うための入出力デバイスを変更させるようにしてもよい。
【０２１７】
図３８に示されるように、テレビジョン信号処理ユニット１８２、および、これに対応するコントロールユニット３１を、図３８Ａのブラウン管モニタ２３１、図３８ＢのＬＣＤモニタ２３２、もしくは、図３８Ｃのビデオテープデッキ２３３に装着することが可能なようにしてもよい。このようにすることにより、ブラウン管モニタ２３１、ＬＣＤモニタ２３２、もしくは、ビデオテープデッキ２３３の機能のバージョンアップ（例えば、図３２および図３３を用いて説明した、テレビジョン信号処理ユニット１８２−１からテレビジョン信号処理ユニット１８２−２や、１８２−３などへのバージョンアップ）を容易に実行することが可能となる。
【０２１８】
また、図３８においては、テレビジョン信号処理ユニット１８２の入替えによるバージョンアップについて説明したが、例えば、装着されるチューナ１８１の種類を変更することにより、地上波放送を受信するブラウン管モニタ２３１、ＬＣＤモニタ２３２、もしくは、ビデオテープデッキ２３３を、衛星波放送を受信するブラウン管モニタ２３１、ＬＣＤモニタ２３２、もしくは、ビデオテープデッキ２３３に、それぞれ、簡単に機能変更することが可能となる。
【０２１９】
なお、ベイ構造型テレビジョン受像機（図１、図２）のベイ１４に収納する電子機器は、上述したＤＶＤプレーヤやディジタルＶＴＲ等に限定されるものではなく、例えば、プリンタやＨＤ（Ｈａｒｄ　Ｄｉｓｋ）レコーダその他の、どのようなものであってもかまわない。
【０２２０】
例えば、図１で説明したように、ベイ構造型テレビジョン受像機のベイ１４Ｇには、携帯電話機を収納することができるが、このように、ベイ１４Ｇに携帯電話機が収納されている場合には、その携帯電話機の通信機能により、インターネットその他のネットワーク上のサーバにアクセスし、必要なデータをダウンロードすることができる。
【０２２１】
また、本実施の形態では、画像を処理する場合について説明したが、本発明は、音声等を処理する場合にも適用可能である。
【０２２２】
また、コントロールユニット３１による、上述した一連の処理は、ハードウェアにより行うこともできるし、ソフトウェアにより行うこともできる。一連の処理をソフトウェアによって行う場合には、そのソフトウェアを構成するプログラムが、マイクロコンピュータ等のコンピュータにインストールされる。
【０２２３】
図３９は、上述した一連の処理を実行するプログラムがインストールされるパーソナルコンピュータ２４１の一実施の形態の構成例を示している。
【０２２４】
プログラムは、コンピュータに内蔵されている記録媒体としてのハードディスク２５５やＲＯＭ２５３に予め記録しておくことができる。
【０２２５】
あるいはまた、プログラムは、フレキシブルディスク、ＣＤ−ＲＯＭ（Ｃｏｍｐａｃｔ　ＤｉｓｃＲｅａｄ　Ｏｎｌｙ　Ｍｅｍｏｒｙ），ＭＯ（Ｍａｇｎｅｔｏ　ｏｐｔｉｃａｌ）ディスク，ＤＶＤ（Ｄｉｇｉｔａｌ　Ｖｅｒｓａｔｉｌｅ　Ｄｉｓｃ）、磁気ディスク、半導体メモリなどのリムーバブル記録媒体２６１に、一時的あるいは永続的に格納（記録）しておくことができる。このようなリムーバブル記録媒体２６１は、いわゆるパッケージソフトウエアとして提供することができる。
【０２２６】
なお、プログラムは、上述したようなリムーバブル記録媒体２６１からコンピュータにインストールする他、ダウンロードサイトから、ディジタル衛星放送用の人工衛星を介して、コンピュータに無線で転送したり、ＬＡＮ（Ｌｏｃａｌ　Ａｒｅａ　Ｎｅｔｗｏｒｋ）、インターネットといったネットワークを介して、コンピュータに有線で転送することができ、コンピュータでは、そのようにして転送されてくるプログラムを、通信部２５８で受信し、内蔵するハードディスク２５５にインストールしたりすることができる。
【０２２７】
パーソナルコンピュータ２４１は、ＣＰＵ（Ｃｅｎｔｒａｌ　Ｐｒｏｃｅｓｓｉｎｇ　Ｕｎｉｔ）２５２を内蔵している。ＣＰＵ２５２には、バス２５１を介して、入出力インタフェース２６０が接続されており、ＣＰＵ２５２は、入出力インタフェース２６０を介して、ユーザによって、キーボードや、マウス、マイク等で構成される入力部２５７が操作等されることにより指令が入力されると、それに従って、ＲＯＭ（Ｒｅａｄ　Ｏｎｌｙ　Ｍｅｍｏｒｙ）２５３に格納されているプログラムを実行する。
【０２２８】
また、ＣＰＵ２５２は、ハードディスク２５５に格納されているプログラム、衛星もしくはネットワークから転送され、通信部２５８で受信されてハードディスク２５５にインストールされたプログラム、またはドライブ２５９に装着されたリムーバブル記録媒体２６１から読み出されてハードディスク２５５にインストールされたプログラムを、ＲＡＭ（Ｒａｎｄｏｍ　Ａｃｃｅｓｓ　Ｍｅｍｏｒｙ）２５４にロードして実行する。これにより、ＣＰＵ２５２は、上述したフローチャートにしたがった処理、あるいは上述したブロック図の構成により行われる処理を行う。
【０２２９】
そして、ＣＰＵ２５２は、その処理結果を、必要に応じて、例えば、入出力インタフェース２６０を介して、ＬＣＤ（Ｌｉｑｕｉｄ　Ｃｒｙｓｔａｌ　Ｄｉｓｐｌａｙ）やスピーカ等で構成される出力部２５６から出力、あるいは、通信部２５８から送信、更には、ハードディスク２５５に記録等させることができる。
【０２３０】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０２３１】
また、プログラムは、１のコンピュータにより処理されるものであっても良いし、複数のコンピュータによって分散処理されるものであっても良い。更に、プログラムは、遠方のコンピュータに転送されて実行されるものであっても良い。
【０２３２】
【発明の効果】
このように、本発明によれば、接続されている他の情報処理装置を制御することができる。特に、新たに他の情報処理装置が接続された場合にも、他の情報処理装置の操作に関する情報を自分自身に登録し、それに従って、他の情報処理装置の操作入力を制御することができる。
また、他の本発明によれば、収納ラックに情報処理ユニットを収納することができるほか、第１の情報処理ユニットの操作を第２の情報処理ユニットが制御することができ、特に、第１の情報処理ユニットが交換された場合であっても、第１の情報処理ユニットの操作を第２の情報処理ユニットが制御することができる。
【図面の簡単な説明】
【図１】本発明を適用したベイ構造型テレビジョン受像機の一実施の形態の構成例を示す斜視図である。
【図２】電子機器が収納された状態のベイ構造型テレビジョン受像機を示す斜視図である。
【図３】ベイ内接続パネルの構成例を示す平面図である。
【図４】電子機器を背面側から見た場合の斜視図である。
【図５】ベイアダプタボックスの構成例を示す斜視図である。
【図６】アダプタ内接続パネルの構成例を示す斜視図である。
【図７】アダプタ背面パネルの構成例を示す斜視図である。
【図８】背面パネル部の着脱が可能なベイアダプタボックスを示す斜視図である。
【図９】アダプタ背面パネルの着脱が可能なベイアダプタボックスを示す斜視図である。
【図１０】端子が移動可能な背面パネル部の構成例を示す斜視図である。
【図１１】端子が移動可能な背面パネル部を示す断面図である。
【図１２】端子が移動可能な背面パネル部を示す断面図である。
【図１３】端子が移動可能な背面パネル部の他の構成例を示す斜視図である。
【図１４】端子が移動可能な背面パネル部の、更に他の構成例を示す斜視図である。
【図１５】接続板を説明するための図である。
【図１６】パッチ板を説明する図である。
【図１７】パッチ板を説明する図である。
【図１８】パッチ板を説明する図である。
【図１９】はめ込み用スリットに設けられた導電部を説明する図である。
【図２０】ベイ構造型テレビジョン受像機の構成を示すブロック図である。
【図２１】リモートコマンダのスイッチ配置例を示す図である。
【図２２】操作軸テーブルを説明する図である。
【図２３】命令コードテーブルを説明する図である。
【図２４】表示テキストコードテーブルを説明する図である。
【図２５】チューナの構成を示すブロック図である。
【図２６】チューナの操作入力部の例を示す図である。
【図２７】チューナの機能と操作軸との関係を説明する図である。
【図２８】電子機器の構成を示すブロック図である。
【図２９】電子機器の操作入力部の例を示す図である。
【図３０】電子機器の機能と操作軸との関係を説明する図である。
【図３１】テレビジョン信号処理ユニットの構成を示すブロック図である。
【図３２】テレビジョン信号処理ユニットの操作入力部の例を示す図である。
【図３３】テレビジョン信号処理ユニットの機能と操作軸との関係を説明する図である。
【図３４】操作軸対応処理について説明するフローチャートである。
【図３５】操作軸対応処理における操作軸データの授受について説明する図である。
【図３６】操作軸割り当て処理１について説明するフローチャートである。
【図３７】操作軸割り当て処理２について説明するフローチャートである。
【図３８】信号処理が共通で、信号入出力を行うための入出力デバイスが変更する場合について説明する図である。
【図３９】パーソナルコンピュータの構成を示すブロック図である。
【符号の説明】
１　ベイ構造型テレビジョン受像機，　１１　テレビジョンラック，　１２　ＣＲＴ，　１３　スピーカ，　１４　ベイ，　１５　ベイ内接続パネル，　１６コントロールベイ，　１７　コントロールベイ内接続パネル，　３１　コントロールユニット，　１６１　リモートコマンダ，　１７１　ＲＦ送受信部，　１７２　メインコントローラ，　１７３　セレクタコントローラ，　１７４　セレクタ，　１７５　コントロールバス，　１８１　チューナ，　１８２　テレビジョン信号処理ユニット，　１８３　電子機器，　１９１　操作入力部，　１９２コントローラ，　１９６　記憶部，　２０１　操作入力部，　２０２　コントローラ，　２０６　記憶部，　２１１　操作入力部，　２１２　コントローラ，２１５　記憶部，　２３１　ブラウン管モニタ　２３２　ＬＣＤモニタ，　２３３　ビデオテープデッキ，　３０１　記憶部，　３１１　操作軸テーブル
【図１】
2004040715.tif 000003
【図２】
2004040715.tif 000004
【図３】
2004040715.tif 000005
【図４】
2004040715.tif 000006
【図５】
2004040715.tif 000007
【図６】
2004040715.tif 000008
【図７】
2004040715.tif 000009
【図８】
2004040715.tif 000010
【図９】
2004040715.tif 000011
【図１０】
2004040715.tif 000012
【図１１】
2004040715.tif 000013
【図１２】
2004040715.tif 000014
【図１３】
2004040715.tif 000015
【図１４】
2004040715.tif 000016
【図１５】
2004040715.tif 000017
【図１６】
2004040715.tif 000018
【図１７】
2004040715.tif 000019
【図１８】
2004040715.tif 000020
【図１９】
2004040715.tif 000021
【図２０】
2004040715.tif 000022
【図２１】
2004040715.tif 000023
【図２２】
2004040715.tif 000024
【図２３】
2004040715.tif 000025
【図２４】
2004040715.tif 000026
【図２５】
2004040715.tif 000027
【図２６】
2004040715.tif 000028
【図２７】
2004040715.tif 000029
【図２８】
2004040715.tif 000030
【図２９】
2004040715.tif 000031
【図３０】
2004040715.tif 000032
【図３１】
2004040715.tif 000033
【図３２】
2004040715.tif 000034
【図３３】
2004040715.tif 000035
【図３４】
2004040715.tif 000036
【図３５】
2004040715.tif 000037
【図３６】
2004040715.tif 000038
【図３７】
2004040715.tif 000039
【図３８】
2004040715.tif 000040
【図３９】
2004040715.tif 000041